(57)【特許請求の範囲】
【請求項１】
生体へ超音波を送受信して得られたエコーデータを用いて超音波画像を生成する超音波診断装置において、
前記超音波の送受信を行って超音波画像を取得し複数の検査モードから選択して検査が可能な検査手段と、
前記検査手段により得られた前記超音波画像に対して複数の画像処理モードから選択して画像処理が可能なレビュー手段と、
前記検査手段及び前記レビュー手段を制御する制御内容を表示し、タッチパネルにより前記制御内容に応じた指示信号を入力する制御指示表示手段と、
を備え、
前記制御指示表示手段は、
前記検査手段による処理では、第１の基本モードとして該検査の実施に係る前記複数の検査モードから所望の検査モードを選択して操作するための制御表示を行う第１の制御表示を行い、
前記レビュー手段による処理では、第２の基本モードとして前記画像処理に係る前記複数の画像処理モードから所望の画像処理モードを選択して操作するための制御表示を行う第２の制御表示を行い、
さらに、
前記タッチパネルに設定され、前記第１の制御表示および前記第２の制御表示に表示される基本モード変更ボタンを備え、前記基本モード変更ボタンの操作に応じ、前記検査手段を操作可能な前記第１の制御表示と前記レビュー手段を操作可能な前記第２の制御表示との切り換えを行うことを特徴とする超音波画像診断装置。
【請求項２】
前記制御指示表示手段は、更に、
前記タッチパネルに設定された、前記第１の制御表示と前記第２の制御表示とにおける共通の機能を有する共通ボタンの操作に応じて、前記第１の制御表示または前記第２の制御表示において、該共通ボタンの有する機能を実施することを特徴とする請求項１に記載の超音波画像診断装置。
【発明の詳細な説明】
【０００１】
【発明の属する技術分野】
本発明は超音波画像診断装置、更に詳しくは信号処理の制御内容を指示する装置制御盤部分に特徴のある超音波画像診断装置に関する。
【０００２】
【従来の技術】
近年、一般的な情報取扱い装置のユーザインターフェースとして、ウィンドウ表示を中心としたインターフェースが知られている。
【０００３】
これは、パソコン（パーソナルコンピュータ）、ワークステーションで採用されている様に、ユーザがキーボードやマウスを使用して、ＣＲＴに表示されたウィンドウの一部からメニューを開き、その項目を選択して装置を操作する方法である。
【０００４】
ところが、生体へ超音波を送受信して３次元操作を行ない、得られた３次元領域のエコーデータを用いて前記生体内の超音波断層像を表示する超音波診断装置においては、実際に画像を収集するための検査時において、ユーザが前述のキーボードやマウスを使用して装置の操作を行なうことは、非常に使い勝手が悪いために専用の装置制御盤を用意している。実際には、ユーザはこの専用の装置制御盤を使用して超音波診断装置を操作し検査を行なっている。
【０００５】
【発明が解決しようとする課題】
しかしながら、この装置操作盤は、超音波診断装置の機能を合わせて多数のスイッチ等で構成されているため、コストアップを招き、且つ装置の大型化を招くといった問題がある。
【０００６】
本発明は、上記事情に鑑みてなされたものであり、コストの削減及び装置の小型化を達成することができ、さらに操作性を向上させることのできる超音波画像診断装置を提供することを目的としている。
【０００７】
【課題を解決するための手段】
本発明による超音波画像診断装置は、生体へ超音波を送受信して得られたエコーデータを用いて超音波画像を生成する超音波診断装置において、前記超音波の送受信を行って超音波画像を取得し複数の検査モードから選択して検査が可能な検査手段と、前記検査手段により得られた前記超音波画像に対して複数の画像処理モードから選択して画像処理が可能なレビュー手段と、前記検査手段及び前記レビュー手段を制御する制御内容を表示し、タッチパネルにより前記制御内容に応じた指示信号を入力する制御指示表示手段と、を備え、前記制御指示表示手段は、前記検査手段による処理では、第１の基本モードとして該検査の実施に係る前記複数の検査モードから所望の検査モードを選択して操作するための制御表示を行う第１の制御表示を行い、前記レビュー手段による処理では、第２の基本モードとして前記画像処理に係る前記複数の画像処理モードから所望の画像処理モードを選択して操作するための制御表示を行う第２の制御表示を行い、さらに、前記タッチパネルに設定され、前記第１の制御表示および前記第２の制御表示に表示される基本モード変更ボタンを備え、前記基本モード変更ボタンの操作に応じ、前記検査手段を操作可能な前記第１の制御表示と前記レビュー手段を操作可能な前記第２の制御表示との切り換えを行うことを特徴とする。
【０００９】
【発明の実施の形態】
以下、図面を参照しながら本発明の実施の形態について述べる。
【００１０】
図１ないし図５６は本発明の第１の実施の形態に係わり、図１は超音波画像診断装置の構成を示す構成図、図２は図１の画像処理部の装置制御盤の構成を示す構成図、図３は図１の画像処理部のＣＰＵの制御の流れを示す第１のフローチャート、図４は図１の画像処理部のＣＰＵの制御の流れを示す第２のフローチャート、図５は図１の画像処理部のＣＰＵの制御の流れを示す第３のフローチャート、図６は図１の画像処理部のＣＰＵの制御の流れを示す第４のフローチャート、図７は図１の画像処理部のＣＰＵの制御の流れを示す第５のフローチャート、図８は図３の処理における検査モード制御部表示を示す図、図９は図３の処理におけるレビューモード制御部表示を示す図、図１０は図４の処理における検査予約カードを示す図、図１１は図１０の検査予約カードによる患者情報登録ダイアログを示す図、図１２は図４の処理におけるラジアル検査カードを示す図、図１３は図１２のラジアル検査カードのマルチ表示ボタンによる第１の表示例を示す図、図１４は図１２のラジアル検査カードのマルチ表示ボタンによる第２の表示例を示す図、図１５は図１２のラジアル検査カードのズームボタンによる高画質モニタでの表示例を示す図、図１６は図１２のラジアル検査カードのラジアル方向ボタンの作用を説明する説明図、図１７は図１２のラジアル検査カードのサブスクリーンボタン及び画像切替ボタンによる表示パターンを示す図、図１８は図１２のラジアル検査カードのイメージローテーションダイヤルの拡大図、図１９は図１２のラジアル検査カードのイメージセレクションスライダの拡大図、図２０は図４の処理におけるヘリカル検査カードを示す図、図２１は図２０のヘリカル検査カードのディスプレイボタンの拡大図、図２２は図２１のディスプレイボタンのデュアル表示ボタンによるデュアル画面表示を示す図、図２３は図２１のディスプレイボタンのコンビネーション表示ボタンによるコンビネーション表示を示す図、図２４は図２１のディスプレイボタンのリニア優先表示ボタンによるリニア優先表示を示す図、図２５は図２１のディスプレイボタンのラジアル優先表示ボタンによるラジアル優先表示を示す図、図２６は図２３のコンビネーション表示におけるイメージセレクションスライダと表示画像の関係を示す図、図２７は図２０のヘリカル検査カードのイメージセレクションスライダの拡大図、図２８は図２０のヘリカル検査カードのリニア方向ボタンによるイメージセレクションスライダの切替を示す図、図２９は図４の処理におけるレンジが３ｃｍ以上のときのプリプロセスカードを示す図、図３０は図４の処理におけるレンジが２ｃｍ以下のときのプリプロセスカードを示す図、図３１は図２９または図３０のプリプロセスカードのＳＴＣ調整スライダの拡大図、図３２は図２９または図３０のプリプロセスカードのコントラスト調整スライダの拡大図、図３３は図２９または図３０のプリプロセスカードのゲイン調整スライダの拡大図、図３４は図４の処理におけるシステム設定カードを示す図、図３５は図３４のシステム設定カードによるシステム時計設定ダイアログを示す図、図３６は図３４のシステム設定カードによる病院名設定ダイアログを示す図、図３７は図３４のシステム設定カードによる記録設定ダイアログを示す図、図３８は図３４のシステム設定カードによるラジアル設定ダイアログを示す図、図３９は図３８のラジアル設定ダイアログのレンジボタン表示の変化を示す図、図４０は図３４のシステム設定カードによるヘリカル設定ダイアログを示す図、図４１は図４０のヘリカル設定ダイアログのストロークボタン表示の変化を示す図、図４２は図４０のヘリカル設定ダイアログのピッチボタン表示の変化を示す図、図４３は図４０のヘリカル設定ダイアログとヘリカル検査モードとのピッチボタンの対応を示す図、図４４は図３４のシステム設定カードによる疑似カラーオプションダイアログを示す図、図４５は図４の処理におけるラジアルレビューカードを示す図、図４６は図４５のラジアルレビューカードのコントラスト調整スライダの拡大図、図４７は図４５のラジアルレビューカードのゲイン調整スライダの拡大図、図４８は図４の処理におけるヘリカルレビューカードを示す図、図４９は図５の処理におけるセーブツールダイアログを示す図、図５０は図４９のセーブツールダイアログによるファイル名入力ダイアログを示す図、図５１は図１２のラジアル検査カードの各ツールボタンの配置を示す図、図５２は図６の処理におけるロードツールである患者選択ダイアログを示す図、図５３は図５２の患者選択ダイアログによる画像選択ダイアログを示す図、図５４は図６の処理におけるシャットダウンダイアログを示す図、図５５は図５４のシャットダウンダイアログによるメッセージダイアログを示す図、図５６は図７の処理におけるエラー表示例を示す図である。
【００１１】
（構成）
図１に示すように、本実施の形態の超音波画像診断装置１は、超音波の送受信及びリアルタイムのエコー画像の表示を行う超音波観測部２と、超音波観測部２で得られたエコーデータを基に３次元画像表示のための画像処理を行う画像処理部３とを備えて構成される。また、超音波を送受波する超音波振動子（トランスデューサ：図示せず）を体腔内へ挿入し、超音波振動子のスパイラルスキャンが行えるような手段を備えた超音波プローブ４及びこの超音波プローブ４を駆動する駆動部５が超音波観測部２に接続されている。
【００１２】
超音波観測部２は、駆動部５に対して超音波を送受信する送受信部６と、送受信部６で取り込まれたエコー信号をデジタルのエコーデータに変換するＡ／Ｄコンバータ７と、Ａ／Ｄコンバータ７で変換されたエコーデータを記憶するフレームメモリ８と、フレームメモリ８に格納されたエコーデータを所望のテレビジョン方式の画像データに変換するデジタルスキャンコンバータ（以下、ＤＳＣと略記）９と、ＤＳＣ９の出力のデジタル画像信号をアナログ信号に変換するＤ／Ａコンバータ１０と、Ｄ／Ａコンバータ１０の出力画像信号を入力してリアルタイムのエコー画像の表示を行うモニタ１１と、駆動部５、送受信部６、Ａ／Ｄコンバータ７及びフレームメモリ８等の各部の制御を行うシステムコントローラ１２とを備えて構成されている。
【００１３】
画像処理部３は、画像処理等の制御を行うＣＰＵ１３と、各画像処理結果のデータ等を記憶する主記憶装置（メインメモリ）１４と、超音波観測部２のシステムコントローラ１２との命令の送受を行う制御部１５と、超音波観測部２からの連続した音線データを連続した複数の２次元画像データに変換する極座標変換部１６と、極座標変換部１６で変換された画像データ等を記憶する画像データ記憶装置（画像メモリ）１７と、回転、輝度変換、疑似カラー、エッジ強調などの各種画像処理を高速に行うための画像処理プロセッサ１８と、処理プログラム及びバックアップデータ等の情報を記憶するハードディスク等からなる第１外部記憶装置１９と、第１外部記憶装置１９のバックアップを行うための、光磁気ディスク等からなる第２外部記憶装置２０と、画像処理後のデータが一時記憶されるフレームバッファ２２と、フレームバッファ２２の出力画像信号をアナログ信号に変換するＤ／Ａコンバータ２３と、Ｄ／Ａコンバータ２３の出力画像信号を入力して画像処理後の超音波画像の表示を行う画像処理用の高画質モニタ２４と、さらに本装置を操作するための装置制御盤２５及び装置側と制御盤側でそれぞれ通信を行なうための制御通信部２６ａ、２６ｂと、外部信号源２８（たとえば内視鏡装置）から画像信号を入力する画像信号入力部２９を備えて構成されている。
【００１４】
装置制御盤２５は、図２に示すように、装置制御盤２５のシステムコントローラであるＣＰＵ３０を備え、システムバス３１に接続された表示制御部３２を制御してＬＣＤ表示部３３にボタン等の操作用オブジェクトを有する複数種類の制御画面を表示するようになっている。また、ＬＣＤ表示部３３はカバー状のタッチパネル（図示せず）を備えて構成されており、ユーザがＬＣＤ表示部３３を指でタッチした点を、タッチパネルを制御するタッチパネル制御部３４を介してＣＰＵ３０が認識できるように構成されている。
【００１５】
装置制御盤２５では、ＣＰＵ３０は、認識した点の座標データから操作されたオブジェクトの操作情報（例えば、「ボタン１が押された」等の情報）を、制御通信部２６ａ、２６ｂを介して画像処理部３のＣＰＵ１３へ送信するようになっており、ＲＯＭ３５にはＣＰＵ３０で動作するプログラムが格納され、ＲＡＭ３６はプログラム動作するためのデータ一時記憶領域となっている。
【００１６】
なお、ＲＯＭ３５はＥＥＰＲＯＭやフラッシュＲＯＭ、あるいはＰＣカードタイプのハードディスク等で構成することも可能である。
【００１７】
（作用）
次に、このように構成された本実施の形態の超音波画像診断装置１の作用について説明する。
【００１８】
超音波観測を行う際には、まず、超音波観測部２では、超音波プローブ４を体腔内に挿入し、システムコントローラ１２の制御に基づき、送受信部６及び駆動部５によって、超音波プローブ４内の超音波振動子をスパイラル状に駆動して生体内へ超音波を送受波することによって、体腔内の３次元領域のエコーデータが取り込まれるようになっている。
【００１９】
つまり、図示はしないが、例えば、超音波プローブ４の駆動部５に内蔵された雌ネジに螺合した雄ネジの後端にとりつけたモータを回転させて、超音波プローブ４の軸方向に沿って配置されたこの雄ネジの先端に取り付けた超音波振動子を回転駆動して、超音波プローブ４の軸方向（長手方向）に垂直な方向に超音波を放射状に送波すると共に、音響インピーダンスの変化部分で反射された反射超音波（エコー信号）を受信する。また、回転と共に、雄ネジのピッチ分づつ、回転軸の軸方向にリニア状に走査することにより、（つまりスパイラル走査による）３次元領域に対するエコー信号を得る。このエコー信号はＡ／Ｄコンバータ７でデジタル信号に変換されてエコーデータとなる。
【００２０】
得られたエコーデータは、フレームメモリ８に格納され、ＤＳＣ９、Ｄ／Ａコンバータ１０を経てモニタ１１にリアルタイムのエコー画像（超音波観測画像）として表示される。また、同時に、Ａ／Ｄコンバータ７の後段からデジタル信号として連続した１次元のエコーデータ（音線データ）の形で画像処理部３へ送られるようになっている。なお、このとき、２次元画像データの画像サイズや画像間の距離などの付帯データも同時に画像処理部３へ送られる。
【００２１】
次に、画像処理部３では、超音波プローブ４の体腔内でのスパイラルスキャンにより得られ、超音波観測部２から画像処理部３へ送られた音線データは、極座標変換部１６により、画像データに変換される。そして、画像データ記憶装置（画像メモリ）１７は、画像データを付帯データと併せて、連続した複数の２次元画像として取り込まれた順に書き込む。この時、画像メモリへは、極座標変換前の音線データも同時に記憶される。
【００２２】
画像処理プロセッサ１８は、この画像データ記憶装置（画像メモリ）１７へ記憶された画像データ及び付帯データを基に、回転、輝度変換、疑似カラー、エッジ強調などの画像処理を行う。
【００２３】
そして、処理結果の画像データはフレームバッファ２２へ送られて一時記憶され、Ｄ／Ａコンバーター２３を経て画像処理用の高画質モニタ２４へ送出される。その後、高画質モニタ２４上に画像処理が施された超音波画像が表示される。
【００２４】
ここで、前述の画像処理プロセッサ１８による各種画像処理の過程は、ＣＰＵ１３によって制御されるようになっている。
【００２５】
次に、本実施の形態の電源ＯＮ直後の動作について説明する。
【００２６】
図３に示すように、まず、画像処理部３のＣＰＵ１３は、ステップＳ１で電源ＯＮ直後には検査モードであることを認識し、ステップＳ２で検査モード制御部表示命令を装置制御盤２５へ送信する。この検査モード制御部表示命令を受けた装置制御盤２５は、ＬＣＤ表示部３３に図８に示すような検査モード制御部表示を行う。
【００２７】
そして、装置制御盤２５のＬＣＤ表示部３３に表示されている検査モード制御部表示（図８参照）の操作オブジェクトが操作された場合に出力される操作命令を受信したかどうかをステップＳ３で判断し、受信するまで待ち、操作命令を受信した場合は、ステップＳ４に進む。
【００２８】
ステップＳ４では、受信した操作命令が基本モード変更の操作命令かどうか判断し、基本モード変更の操作命令ならば、ステップＳ５でレビューモード制御部表示命令を装置制御盤２５へ送信する。このレビューモード制御部表示命令を受けた装置制御盤２５は、ＬＣＤ表示部３３に図９に示すようなレビューモード制御部表示を行う。
【００２９】
なお、ステップＳ４で受信した操作命令が基本モード変更の操作命令ではないと判断した場合は、後述するステップＳ１１（図４にて説明）に処理を移行する。
【００３０】
ここで、装置制御盤２５のＬＣＤ表示部３３に表示される、上記の検査モード制御部表示及びレビューモード制御部表示について説明する。
【００３１】
検査モード制御部表示は、図８に示すように、検査予約モードを制御できる検査予約カード、ラジアル検査モードを制御できるラジアル検査カード、ヘリカル検査モードを制御できるヘリカル検査カード、プリプロセスモードを制御できるプリプロセスカード、システム設定モードを制御できるシステム設定カードの各カードオブジェクトが選択可能なカードオブジェクト選択タブと、セーブツールボタン（Ｓａｖｅ）、ロードツールボタン（Ｌｏａｄ）、シャットダウンボタンからなる各ツールボタンと、基本モード変更ボタン（ＭＯＤＥ）と、８方向キー、フリーズボタン（Ｆｒｅｅｚ）、記録ボタン（Ｒｅｃ）からなる共通ボタンとで構成される。
【００３２】
なお、検査予約カード、ラジアル検査カード、ヘリカル検査カード、プリプロセスカード、システム設定カードは重なって表示され、操作者が使用したいカードのカードオブジェクト選択タブが触わると、目的のカードが一番上に表示されるようになっている。
【００３３】
また、レビューモード制御部表示は、図９に示すように、ラジアルレビューモードを制御できるラジアルレビューカード、ヘリカルレビューモードを設定できるヘリカルレビューカード、システム設定モードを制御できるシステム設定カードの各カードオブジェクトが選択可能なカードオブジェクト選択タブ、及びツールボタン、基本モード変更ボタン（ＭＯＤＥ）、共通ボタンで構成される。
【００３４】
なお、ラジアルレビューカード、ヘリカルレビューカード、システム設定カードは重なって表示され、操作者が使用したいカードのカードオブジェクト選択タブが触わると、目的のカードが一番上に表示される。
【００３５】
次に、図３のステップＳ４で、装置制御盤２５から「基本モード変更ボタンが押された」以外の情報を受けた場合、すなわち、図３のステップＳ４で受信した操作命令が基本モード変更の操作命令ではないと判断した場合の動作について説明する。
【００３６】
図３のステップＳ４で受信した操作命令が基本モード変更の操作命令ではないと判断した場合は、ＣＰＵ１３は、図４に示すように、ステップＳ１１で装置制御盤２５から受信した情報が「検査予約カードタブが押された」情報かどうか判断し、「検査予約カードタブが押された」情報であれば、ステップＳ１２で検査予約カード表示命令を装置制御盤２５へ送信して図３のステップＳ３に戻り、「検査予約カードタブが押された」情報でなければステップＳ１３へ進む。
【００３７】
ステップＳ１３では、装置制御盤２５から受信した情報が「ラジアル検査カードタブが押された」情報かどうか判断し、「ラジアル検査カードタブが押された」情報であれば、ステップＳ１４でラジアル検査カード表示命令を装置制御盤２５へ送信して図３のステップＳ３に戻り、「ラジアル検査カードタブが押された」情報でなければステップＳ１５へ進む。
【００３８】
ステップＳ１５では、装置制御盤２５から受信した情報が「ヘリカル検査カードタブが押された」情報かどうか判断し、「ヘリカル検査カードタブが押された」情報であれば、ステップＳ１６でヘリカル検査カード表示命令を装置制御盤２５へ送信して図３のステップＳ３に戻り、「ヘリカル検査カードタブが押された」情報でなければステップＳ１７へ進む。
【００３９】
ステップＳ１７では、装置制御盤２５から受信した情報が「プリプロセスカードタブが押された」情報かどうか判断し、「プリプロセスカードタブが押された」情報であれば、ステップＳ１８でプリプロセスカード表示命令を装置制御盤２５へ送信して図３のステップＳ３に戻り、「プリプロセスカードタブが押された」情報でなければステップＳ１９へ進む。
【００４０】
ステップＳ１９では、装置制御盤２５から受信した情報が「システム設定カードタブが押された」情報かどうか判断し、「システム設定カードタブが押された」情報であれば、ステップＳ２０でシステム設定カード表示命令を装置制御盤２５へ送信して図３のステップＳ３に戻り、「システム設定カードタブが押された」情報でなければステップＳ２１へ進む。
【００４１】
ステップＳ２１では、装置制御盤２５から受信した情報が「ラジアルレビューカードタブが押された」情報かどうか判断し、「ラジアルレビューカードタブが押された」情報であれば、ステップＳ２２でラジアルレビューカード表示命令を装置制御盤２５へ送信して図３のステップＳ３に戻り、「ラジアルレビューカードタブが押された」情報でなければステップＳ２３へ進む。
【００４２】
ステップＳ２３では、装置制御盤２５から受信した情報が「ヘリカルレビューカードタブが押された」情報かどうか判断し、「ヘリカルレビューカードタブが押された」情報であれば、ステップＳ２４でヘリカルレビューカード表示命令を装置制御盤２５へ送信して図３のステップＳ３に戻り、「ヘリカルレビューカードタブが押された」情報でなければ、後述するステップＳ３１（図５にて説明）に処理を移行する。
【００４３】
ここで、図４の各ステップで選択されＬＣＤ表示部３３に表示される各カードで操作される各モードについて説明する。
【００４４】
まず、ステップＳ１２で検査予約カード表示命令を受けた装置制御盤２５のＬＣＤ表示部３３に表示される検査予約カードで操作される検査予約モードについて説明する。
【００４５】
この検査予約モードでは、これから検査を行う予定の患者情報を検査予約リストに登録することができる。検査開始前に、その日に使用する全患者情報を入力しておき、患者が交代するごとに選択することが可能になる。検査予約リストには、１０件まで検査の登録ができる。一度検査予約リストに登録した患者情報は、ハードディスク１９等の患者情報記憶領域に記録される。次回からは、患者ＩＤを入力すると氏名・生年月日等の患者情報が前記患者情報記憶領域から自動的に読み出される。ハードディスク１９に記録される超音波画像は、前記患者情報記憶領域の患者情報と関連づけがなされて記録される。
【００４６】
次に、検査予約カードに表示される各操作オブジェクトについて図１０を用いて説明する。
【００４７】
（１）検査予約リスト
登録した患者ＩＤ、名前、登録検査日データをリスト表示する。ＬＣＤ表示部３３を直接さわると、ＬＣＤ表示部３３に設けられたタッチパネルにより患者ＩＤが選択できる。選択された患者ＩＤ行は、他の行と異なる色になる。
【００４８】
（２）登録ボタン
検査予約リストに検査を登録する。ＬＣＤ表示部３３の登録ボタンを直接さわるとＬＣＤ表示部３３に設けられたタッチパネルにより、後述する患者情報入力ダイアログ（図１１）がＬＣＤ表示部３３に表示される。
【００４９】
（３）修正ボタン
・検査予約リストで選択されているのに患者情報を修正する。ＬＣＤ表示部３３の修正ボタンを直接さわるとＬＣＤ表示部３３に設けられたタッチパネルにより、後述する患者情報入力ダイアログ（図１１）がＬＣＤ表示部３３に表示される。このとき、各入力フィールド（図１１参照）には、ハードディスク１９内の患者情報記憶領域から患者情報が呼び出され、表示される。
【００５０】
（４）消去ボタン
検査予約リストで選択されている行（患者ＩＤ）を、リストから消去する。
【００５１】
（５）全消去ボタン
検査予約リストに登録されている全ての検査をリストから消去する。
【００５２】
図１０の登録ボタンまたは修正ボタンを押された際に、ＬＣＤ表示部３３に表示される患者情報登録ダイアログを図１１を用いて説明する。
【００５３】
患者情報登録ダイアログでは、以下のように、患者ＩＤ、患者氏名、生年月日、年齢、性別といった情報が入力または編集できる。
【００５４】
（１）患者ＩＤを入力、編集するには、まずＩＤフィールドを直接触わると、ＩＤフィールドにカーソルが表示され入力可能になる。そして、仮想キーボードのボタンを触わることでＩＤ番号を入力できる。入力後に、リターンキーを押すか、他のフィールドを触ると、入力データが確定される。入力したデータが以前に登録されている患者ＩＤデータであれば、ＣＰＵ１３は、ハードディスク１９の患者情報記憶領域を検索して、その患者ＩＤに関連した他の情報（氏名、年月日、年齢、性別）読み出し、各入力フィールドに情報を表示する。
【００５５】
（２）患者氏名を入力、編集するには、ＮＡＭＥフィールドを直接触わると、ＮＡＭＥフィールドにカーソルが表示され入力可能になる。そして、仮想キーボードのボタンを触わることで氏名を入力できる。リターンキーを押すと、データが確定される。
【００５６】
（３）生年月日を入力、編集するには、まずＤ．Ｏ．Ｂフィールドを直接触わると、Ｄ．Ｏ．Ｂフィールドにカーソルが表示され入力可能になる。そして、仮想キーボードのボタンを触わることで生年月日を入力できる。リターンキーを押すと、データが確定される。この時、ＣＰＵ１３は入力された生年月日データ及び現在時刻（装置内のタイマから検出する）から年齢を計算して、ＡＧＥフィールドに年齢を表示する。
【００５７】
（４）年齢を入力、編集するには、まずＡＧＥフィールドを直接触わると、ＡＧＥフィールドにカーソルが表示され入力可能になる。そして、仮想キーボードのボタンを触わることで年齢を入力できる。リターンキーを押すと、データが確定される。
【００５８】
（５）性別を入力、編集するには、まずＳＥＸフィールドを直接触わると、ＳＥＸフィールドにカーソルが表示され、入力可能になる。そして、仮想キーボードのボタンを触わることで性別（男性ならＭ、女性ならＦ）を入力できる。リターンキーを押すと、データが確定される。
【００５９】
（６）「ＯＫ」ボタンを押すと、入力したデータを確定して図１０の検査予約カード表示に戻る。
【００６０】
（７）「Ｃａｎｃｅｌ」ボタンを押すと、入力したデータを破棄して図１０の検査予約カード表示に戻る。
【００６１】
次に、図４のステップＳ１４でラジアル検査カード表示命令を受けた装置制御盤２５のＬＣＤ表示部３３に表示されるラジアル検査カードで操作されるラジアル検査モードについて説明する。
【００６２】
このラジアル検査モードは、図１において、超音波プローブ４の駆動部５に内蔵され、雌ネジに螺合した雄ネジの後端にとりつけたモータを回転させて、超音波プローブ４の軸方向に沿って配置されたこの雄ネジの先端に取り付けた超音波振動子を回転駆動させ、超音波プローブ４の軸方向（長手方向）に垂直な方向に超音波を放射状に送波すると共に、音響インピーダンスの変化部分で反射された反射超音波（エコー信号）を受信して、超音波画像を得るモードである。
【００６３】
次に、ラジアル検査カードに表示される各操作オブジェクトについて図１２を用いて説明する。
【００６４】
（１）レンジボタン
ラジアル画像の表示レンジを切り替える。つまり、１、２、４、６、９、１２ｃｍの各ボタンのうち、どれか１つを選択し、ここで選択されたレンジ情報は、超音波観測部２のシステムコントローラ１２へ送信される。
【００６５】
（２）ディスプレイボタン
ラジアル画像の表示パターンを切り替える。つまり、全円表示、上半円表示、下半円表示、、左半円表示、右半円表示のうち、どれか１つを選択する。
【００６６】
（３）画質ボタン
超音波画像の画質モードを切り替える。ボタン表示は、「Ｈｉ」、「Ｓｔ」のトグル切り替え表示である。ボタン表示が「Ｈｉ」の時は、高画質モード（Ｈｉｇｈ  Ｑｕａｌｉｔｙ）が選択されている。また、ボタン表示が「Ｓｔ」の時は、標準モード（Ｓｔａｎｄａｒｄ）が選択されている。ここで選択された画質情報は超音波観測部２のシステムコントローラ１２へ送信される。
【００６７】
（４）マルチ表示ボタン
画像データ記憶装置（画像メモリ）１７に記憶されている画像を一覧表示する。表示方式は、４枚表示ボタン、９枚表示ボタン（またはＯＦＦボタン）のうちどれか一つを選択することで、図１３に示すような４枚表示、あるいは図１４に示すような９枚表示を行うことできる。
【００６８】
（５）ズームボタン
超音波画像を２倍に拡大して図１５に示すような画像を表示する。このとき、全体画像がＣＲＴ画面左下の子画面領域に表示され、その中の四角（カーソル）で囲まれた領域が拡大されて親画面領域に表示される。拡大領域の位置は、８方向キー（図８参照）で移動することができる。
【００６９】
（６）ラジアル方向ボタン
ラジアル画像の表示方向が切り替わる。本実施の形態では、ラジアル画像の観察方向、つまり「ＮＯＲＭＡＬ」と「ＩＮＶＥＲＴ」で示す２つの方向に選択することができる（図１６参照）。
【００７０】
（７）サブスクリーンボタン
図１において、画像信号入力部２９に入力されている外部信号源２８（例えば内視鏡装置）からの画像を高画質モニタ２４上に超音波画像と並べて表示する。Ｏｎ／ＯｆｆボタンをＯｎ表示にすると、ラジアル超音波画像（超音波画像）と共に外部入力画像（内視鏡画像）が子画面領域に表示され（図１５参照）、Ｌａ／ＳｍボタンをＬａ表示にする（Ｌａｒｇｅを選択する）と、子画面のサイズが大きくなる。
【００７１】
（８）画像切り替えボタン
親画面領域に超音波画像を表示するか、または外部入力画像を表示するかを選択する。画像切り替えボタンをＥＶＩＳ（内視鏡装置）表示にすると、外部入力画像（内視鏡画像）が親画面領域に表示される。サブスクリーンボタン、画像切り替えボタンの組み合わせで、表１及び図１７のような外部入力画像表示スタイルを選択することができる。
【００７２】
【表１】
0003586098.tif 000002
（９）イメージローテーションダイヤル（図１８）
超音波画像を回転させる（６４ステップ／周）ものであって、
１）ノブ：押しながら円周にそってスライドさせて、超音波画像を回転させる。
２）微調整ボタン：回転量を微調整する。１度押すと、８ピッチ回転する。
３）リセットボタン  ：  回転量をリセットし、回転させる前の状態に戻す。
【００７３】
４）回転量表示：回転量を表示する（０〜５１１）。
【００７４】
（１０）イメージセレクションスライダ（図１９）
画像データ記憶装置（画像メモリ）１７に記憶された複数の画像のうち、１枚を選択して高画質モニタ２４上に表示する。
１）微調整ボタン：左向きでより最新の画像を選択し、右向きでより過去の画像を選択する。
２）最新画像選択ボタン：最新画像を選択できる。
３）最古画像選択ボタン：最古画像を選択できる。
４）選択画像番号表示：選択されている画像の番号を表示する。
５）ノブ：押しながら左右にスライドさせ超音波画像を選択する。
【００７５】
次に、図４のステップＳ１６でヘリカル検査カード表示命令を受けた装置制御盤２５のＬＣＤ表示部３３に表示されるヘリカル検査カードで操作されるヘリカル検査モードについて説明する。
【００７６】
図１において、超音波プローブ４の駆動部５に内蔵され、雌ネジに螺合された雄ネジの後端にとりつけたモータを回転させて、超音波プローブ４の軸方向に沿って配置されたこの雄ネジの先端に取り付けた超音波振動子を回転駆動させ、超音プローブ４の軸方向（長手方向）に垂直な方向に超音波を放射状に送波すると共に、音響インピーダンスの変化部分で反射された反射超音波（エコー信号）を受信し、また、回転と共に、雄ネジのピッチ分づつ、回転軸の軸方向にリニア状に走査することにより、（つまりスパイラル走査による）３次元領域に対するエコー信号を受信する。
【００７７】
こうして超音波振動子の回転面に平行な断面画像（ラジアル画像）と、超音波振動子の回転面に垂直な断面画像（リニア画像）を得て高画質モニタ２４に表示するのがヘリカル検査モードである。
【００７８】
ヘリカル検査カードに表示される各操作オブジェクトについて図２０を用いて説明する。
【００７９】
（１）レンジボタン
ラジアル、リニア画像の表示レンジを切り替える。つまり、１、２、４、６、９、１２ｃｍの各ボタンのうち、どれか１つを選択できる。
【００８０】
（２）ディスプレイボタン
ディスプレイボタンには図２１に示すような種類があり、このボタンを押すことで高画質モニタ２４に表示されるラジアル、リニア画像の表示パターンを次のように切り替わる。
【００８１】
１）デュアル表示（図２２）
２）コンビネーション表示（図２３）
３）リニア優先表示（図２４）
４）ラジアル優先表示（図２５）
なお、コンビネーション表示におけるイメージセレクションスライダの操作と表示画像の関係を図２６に示す。
【００８２】
（３）ストロークボタン
ヘリカルスキャンのストローク長を切り替える。これにより超音波振動子の回転軸方向の移動距離を設定できる。つまり、１５、２０、３０、４０ｍｍの各ボタンのうち、どれか１つを選択できる。
【００８３】
（４）ピッチボタン
ヘリカルスキャンのピッチ（ラジアル画像を得る間隔）を切り替える。つまり、０．２５、０．３５、０．５、０．７５、１．０ｍｍの各ボタンのうち、どれか１つを選択できる。
【００８４】
（５）画質ボタン
ラジアル検査カードの画質ボタンと同じであるので説明は省略する。
【００８５】
（６）ストロークモードボタン
１ストローク間のみラジアル画像を取り込みで自動的にフリーズされるモード（「ＡｕｔｏＳｔｏｐ」＝Ｏｎと、何ストロークでも連続してラジアル画像を取り込み続けるモード（「ＡｕｔｏＳｔｏｐ」＝Ｏｆｆ）が選択できる。
【００８６】
一度押すと「ＡｕｔｏＳｔｏｐ」＝Ｏｎとなり、再度押すと「ＡｕｔｏＳｔｏｐ」＝Ｏｆｆになる。
【００８７】
（７）ラジアル方向ボタン
ラジアル検査カードのラジアル方向ボタンと同じであるので説明は省略する。
【００８８】
（８）リニア方向ボタン
リニア画像の表示方向が切り替わる。リニア画像のプローブ先端側を右向きに表示するか左向きに表示するかを切り替えることができる。
【００８９】
リニア画像の表示方向を切り替えると、高画質モニタ２４上の画面表示のプローブ挿入方向マーカー表示が切り替わる。
【００９０】
（９）イメージローテーションダイヤル
ラジアル検査カードのイメージローテーションダイヤルと同じであるので説明は省略する。ただし、ラジアル画像、リニア画像を同時に回転する。
【００９１】
（１０）イメージセレクションスライダ（図２７）
画像データ記憶装置（画像メモリ）１７に記憶された複数のラジアル画像のうち、１枚を選択して高画質モニタ２４に表示する。
【００９２】
１）スライダ：ノブを押しながら横にスライドさせると、ラジアル画像が更新する。
２）トップボタン：最もプローブ先端側のラジアル画像を選択する。
３）中央ボタン：１ストロークの中央に位置するラジアル画像を選択する。
４）エンドボタン：最も手元側のラジアル画像を選択する  。
【００９３】
５）左矢印ボタン：（初期状態では）より手元側のラジアル画像を選択する。
６）右矢印ボタン：（初期状態では）よりプローブ先端側のラジアル画像を選択する。
７）選択画像番号表示：選択されている画像の番号を表示する。
なお、リニア方向ボタン（図２０参照）を操作して、リニア表示方向を切り替えると、イメージセレクションスライダは図２８のように表示が切り替わる。
【００９４】
次に、図４のステップＳ１８でプリプロセスカード表示命令を受けた装置制御盤２５のＬＣＤ表示部３３に表示されるプリプロセスカードで操作されるプリプロセスモードについて説明する。
【００９５】
超音波観測部２のステムコントローラ１２は、送受信部６を制御して、Ａ／Ｄコンバータ７から出力される音線データの輝度値、及びコントラスト値を調整する機能がある。送受信部６で輝度値及びコントラスト値を調整することで、ユーザにより画質を調整された画像を、リアルタイムで表示することが可能になる。
【００９６】
プリプロセスモードでは、ユーザにより設定された輝度値及びコントラスト値は、制御部１５を介して、ＣＰＵ１３からシステムコントローラ１２へ送信され、これにしたがって、システムコントローラ１２は送受信部６を制御して画質を制御する。
【００９７】
プリプロセスカードに表示される各操作オブジェクトについて図２９及び図３０を用いて説明する。
【００９８】
なお、プリプロセスカードの表示は、ラジアル検査及びヘリカル検査で３ｃｍ以上のレンジが選択されている場合は図２９のような表示になり、２ｃｍ以下のレンジが選択されている場合は図３０のような表示になる。
【００９９】
（１）ＳＴＣ調整スライダ（図３１）
診断方向距離に応じた７組（３ｃｍ以上のレンジの場合）または５組（２ｃｍ以下のレンジの場合）のスライダにより、各深さの超音波エコーのコントラストを独立して調整できる。
１）スライダ：ツマミを押しながら横にスライドさせると、値を更新する。
２）ＤＯＷＮボタン：値が減少する。
３）ＵＰボタン：  値が増加する。
なお、各ＳＴＣスライダは、表２の範囲のコントラストを調整する。
【表２】
0003586098.tif 000003
（２）コントラスト調整スライダ（図３２）
超音波画像のコントラストを調整できる。
１）スライダ：ツマミを押しながら横にスライドさせると、値を更新する。
２）ＤＯＷＮボタン：値が減少する。
３）ＵＰボタン：値が増加する。
４）コントラスト値表示    設定されているコントラスト値を表示する。
【０１００】
（３）ゲイン調整スライダ（図３３）
超音波画像の輝度を調整する。
１）スライダ：ツマミを押しながら横にスライドさせると、値を更新する。
２）ＤＯＷＮボタン：値が減少する。
３）ＵＰボタン：値が増加する。
４）ゲイン値表示：設定されているゲイン値を表示する。
【０１０１】
（４）プリセットボタン
「ＰｒｅＰｒｏｃｅｓｓＰｒｅｓｅｔ」のボタン群を操作して、現在設定中のＳＴＣ、ゲイン、コントラストの値を１０セットまで記憶することができる。または、記憶されているＳＴＣ、ゲイン、コントラストの値を任意に呼び出すことができる。
【０１０２】
現在設定中のＳＴＣ、ＧＡＩＮ、ＣＯＮＴＲＡＳＴデータを記憶するには、
１）プリプロセスカードを選択すると、初期状態で「ＣＡＬＬ」が選択されている。
２）ＳＴＣ、ＧＡＩＮ、ＣＯＮＴＲＡＳＴの諸データを設定する。
３）「ＳＡＶＥ」ボタンを押す。
４）「ＳＥＴ１〜１０」のどれか１つのボタンを押すと、押されたＳＥＴボタンに現在の設定が記憶される。
【０１０３】
記憶されているＳＴＣ、ＧＡＩＮ、ＣＯＮＴＲＡＳＴデータを呼び出すには、
１）プリプロセスを選択すると、初期状態で「ＣＡＬＬ」が選択されている。
２）「ＳＥＴ１〜１０」のどれか１つのボタンを押すと、押されたＳＥＴボタンに記憶されているＳＴＣ、ＧＡＩＮ、ＣＯＮＴＲＡＳＴデータが呼び出される。
【０１０４】
ＳＴＣ、ＧＡＩＮ、ＣＯＮＴＲＡＳデータは、表３の組を１セットとして記憶または呼び出しがされる。
【０１０５】
【表３】
0003586098.tif 000004
なお、図１において、システムコントローラ１２は、駆動部５を制御して、装着されている超音波プローブ４が対応している超音波周波数を検知することができる。ＣＰＵ１３はシステムコントローラ１２と通信を行なって、前記周波数値をシステムコントローラ１２から通知してもらうことが可能である。そして、ＣＰＵ１３は、その超音波周波数毎に前記ＳＴＣ、ＧＡＩＮ、ＣＯＮＴＲＡＳＴデータを記憶、または呼び出しを行なうことができる。
【０１０６】
次に、図４のステップＳ２０でシステム設定カード表示命令を受けた装置制御盤２５のＬＣＤ表示部３３に表示されるシステム設定カードで操作されるシステム設定モードについて説明する。
【０１０７】
システム設定モードでは、図３４に示すように、システム設定カードにおいて次のようなさまざまな設定が行える。
１）ＤＡＴＥ＆ＴＩＭＥ：システム内蔵時計の設定が行える。
システム設定カードの「ＤＡＴＥ＆ＴＩＭＥ…」ボタンを押すと、図３５に示すように、ＬＣＤ表示部３３にはシステム時計設定ダイアログが表示される。
【０１０８】
このシステム時計設定ダイアログには、Ｙｅａｒ、Ｍｏｕｔｈ、Ｄａｙ、Ｈｏｕｒ、Ｍｉｎ、Ｓｅｃの６個のフィールド及び仮想キーボードで構成される。
【０１０９】
各フィールドには初期値として、ダイアログがオープンした時点でのシステム時刻が数値で表示される。ユーザが、各々のフィールドを直接触ると、そのフィールドが選択されデータが設定できる。ユーザが仮想キーボードの各ボタンを直接触わって、設定を行なう。
【０１１０】
そして、「ＯＫ」ボタンを押すと入力したデータを確定してシステム設定カードへ戻り、「ＣＡＮＣＥＬ」ボタンを押すと入力したデータを破棄して、システム設定カードへ戻る。
【０１１１】
２）ＨＯＳＰＩＴＡＬ  ＮＡＭＥ：病院名の設定が行える。
システム設定カードの「ＨｏｓｐｉｔａｌＮａｍｅ…」ボタンを押すと、図３６に示すように、ＬＣＤ表示部３３には病院名設定ダイアログが表示される。
【０１１２】
病院名設定ダイアログは、病院名フィールドと仮想キーボードで構成される。病院名フィールドには、初期値として現在の病院名が表示される。
【０１１３】
病院名フィールドを触ると病院名が入力可能な状態になる。「ＯＫ」ボタンを押すと入力した病院名を確定してシステム設定カードへ戻り、「ＣＡＮＣＥＬ」ボタンを押すと入力した病院名を破棄してシステム設定カードへ戻る。
【０１１４】
３）ＲＥＣＯＲＤ  ＯＰＴＩＯＮ：各カードでの「記録ボタン（Ｒｅｃ）」が押された場合の記録に関する設定が行える。
システム設定カードの「ＲＥＣＯＲＤ  ＯＰＴＩＯＮ…」ボタンを押すと、図３７に示すように、ＬＣＤ表示部３３には各カードでの「記録ボタン（Ｒｅｃ）」を押したときに行う画像記録に関する諸設定に関する諸設定ができる記録設定ダイアログが表示される。
【０１１５】
例えばラジアル検査モードの時に「記録ボタン（Ｒｅｃ）」を押した場合の記録方式を設定する。
【０１１６】
「ＲＥＣＯＲＤ    ＳＩＮＧＬＥ  ＩＭＡＧＥ」を選択すると、高画質モニタ２４に表示されている画像を単独で記録する。また「ＲＥＣＯＲＤ  ＩＭＡＧＥＳＥＴ」を選択すると、画像データ記憶装置（画像メモリ）１７に格納されている画像をセットで記録する。
【０１１７】
そして、「ＯＫ」ボタンを押すと、設定を確定してシステム設定カードへ戻り、「ＣＡＮＣＥＬ」ボタンを押すと、設定を破棄してシステム設定カード戻る。
【０１１８】
４）ＲＡＤＩＡＬ  ＭＯＤＥ  ＯＰＴＩＯＮ：ラジアル検査モードに関する設定が行える。
システム設定カードの「ＲＡＤＩＡＬ  ＭＯＤＥ  ＯＰＴＩＯＮ…」ボタンを押すと、図３８に示すように、ＬＣＤ表示部３３には「ラジアル検査モード」に特有な設定を行うラジアル設定ダイアログが表示される。
【０１１９】
（ａ）まず、ラジアル検査モードで使用する「Ｒａｎｇｅ  Ｂｕｔｔｏｎ」を設定できる。ここで設定したレンジボタン（Ｒａｎｇｅ  Ｂｕｔｔｏｎ）が、ラジアル検査モードの「Ｒａｎｇｅ  Ｂｕｔｔｏｎ」に反映され、ラジアル検査で使用できる。
【０１２０】
このレンジボタン（Ｒａｎｇｅ  Ｂｕｔｔｏｎ）での設定は、レンジボタン（Ｒａｎｇｅ  Ｂｕｔｔｏｎ）の上下にある矢印ボタンを押して、使用するレンジボタン（Ｒａｎｇｅ  Ｂｕｔｔｏｎ）を選択する。
【０１２１】
なお、矢印ボタンを押すと、レンジボタン（Ｒａｎｇｅ  Ｂｕｔｔｏｎ）表示は図３９のように変化する。また、ここでのレンジボタン（Ｒａｎｇｅ  Ｂｕｔｔｏｎ）の並び順と、ラジアル検査モードでの「Ｒａｎｇｅ  Ｂｕｔｔｏｎ」の並び順は一致している。ユーザは、設定したいレンジボタン（Ｒａｎｇｅ  Ｂｕｔｔｏｎ）の上下にある矢印ボタンを直接触わって設定を行う。
【０１２２】
（ｂ）また、画像平均表示（Ａｖｅｒａｇｉｎｇ  Ｎｕｍ．）により、画像平均表示における重み付け係数Ｋを設定できる。設定範囲は０．１〜１．０、設定単位は０．１ステップで、レンジボタン（Ｒａｎｇｅ  Ｂｕｔｔｏｎ）と同じ操作により設定できる。
【０１２３】
（ｃ）そして、「ＯＫ」ボタンを押すと、設定を確定してシステム設定カードへ戻り、「ＣＡＮＣＥＬ」ボタンを押すと、設定を破棄してシステム設定カード戻る。
【０１２４】
５）ＨＥＬＩＣＡＬ  ＭＯＤＥ  ＯＰＴＩＯＮ：ヘリカル検査モードに関する設定が行える。
システム設定カードの「ＨＥＬＩＣＡＬ  ＭＯＤＥ  ＯＰＩＴＩＯＮ…」ボタンを押すと、図４０に示すように、ＬＣＤ表示部３３には「ヘリカル検査モード」に特有な設定を行うヘリカル設定ダイアログが表示される。
【０１２５】
（ａ）まず、ヘリカル検査モードで使用する「Ｓｔｒｏｋｅ  Ｂｕｔｔｏｎ」を設定できる。ここで設定したストロークボタン（Ｓｔｒｏｋｅ  Ｂｕｔｔｏｎ）が、ヘリカル検査モードの「Ｓｔｒｏｋｅ  Ｂｕｔｔｏｎ」に反映され、ヘリカル検査で使用できる。
【０１２６】
このストロークボタン（Ｓｔｒｏｋｅ  Ｂｕｔｔｏｎ）での設定は、ストロークボタン（Ｓｔｒｏｋｅ  Ｂｕｔｔｏｎ）の左右にある矢印ボタンを押して、使用するストロークボタン（Ｓｔｒｏｋｅ  Ｂｕｔｔｏｎ）を選択する。
【０１２７】
なお、矢印ボタンを押すと、ストロークボタン（Ｓｔｒｏｋｅ  Ｂｕｔｔｏｎ）表示は図４１のように変化する。また、ここでのストロークボタン（Ｓｔｒｏｋｅ  Ｂｕｔｔｏｎ）の並び順と、ヘリカル検査モードでの「Ｓｔｒｏｋｅ  Ｂｕｔｔｏｎ」の並び順は一致している。設定したいストロークボタン（Ｓｔｒｏｋｅ  Ｂｕｔｔｏｎ）の左右にある矢印ボタンを操作して設定を行なう。
【０１２８】
（ｂ）次に、ヘリカル検査モードで使用する「Ｐｉｔｃｈ  Ｂｕｔｔｏｎ」を設定できる。ここで設定したピッチボタン（Ｐｉｔｃｈ  Ｂｕｔｔｏｎ）が、ヘリカル検査モードの  「Ｐｉｔｃｈ  Ｂｕｔｔｏｎ」に反映され、ヘリカル検査で使用できる。
【０１２９】
このピッチボタン（Ｐｉｔｃｈ  Ｂｕｔｔｏｎ）での設定は、ピッチボタン（Ｐｉｔｃｈ  Ｂｕｔｔｏｎ）の上下にある矢印ボタンを押して、使用するピッチボタン（Ｐｉｔｃｈ  Ｂｕｔｔｏｎ）を選択する。
【０１３０】
なお、矢印ボタンを押すと、ピッチボタン（Ｐｉｔｃｈ  Ｂｕｔｔｏｎ）表示は図４２のように変化する。また、ここでのピッチボタン（Ｐｉｔｃｈ  Ｂｕｔｔｏｎ）の並び順とヘリカル検査モードでの「Ｐｉｔｃｈ  Ｂｕｔｔｏｎ」の並び順は、図４３のように一致している。設定したいピッチボタン（Ｐｉｔｃｈ
Ｂｕｔｔｏｎ）の上下にある矢印ボタンを操作して設定を行なう。
【０１３１】
（ｄ）なお、ヘリカル検査モードで使用する「Ｒａｎｇｅ  Ｂｕｔｔｏｎ」の設定は、ラジアル検査モードで使用する「Ｒａｎｇｅ  Ｂｕｔｔｏｎ」を設定と同じであるので、説明は省略する（図３８及び図３９参照）。
【０１３２】
（ｅ）そして、「ＯＫ」ボタンを押すと、設定を確定してシステム設定カードへ戻り、「ＣＡＮＣＥＬ」ボタンを押すと、設定を破棄してシステム設定カード戻る。
【０１３３】
６）ＰＳＥＵＤＯ  ＣＯＬＯＲ：疑似カラー表示に関する設定が行える。
【０１３４】
システム設定カードの「ＰＳＥＵＤＯ  ＣＯＬＯＲ…」ボタンを押すと、図４４に示すように、ＬＣＤ表示部３３には疑似カラーのカラーのパレットを設定する疑似カラーオプションダイアログが表示される（なお、疑似カラーは「ラジアルレビューモード」、「ヘリカルレビューモード」で使用できる）。
【０１３５】
（ａ）まず、「ＣＯＬＯＲ  ＳＥＴ」の各ボタンを選択して、カラーパレットを選択できる。「１」を押すと、カラーパレット１が選択でき、「２」を押すと、カラーパレット２が選択でき、「３」を押すと、カラーパレット３が選択できる（なお、これらのカラーパレット情報はハードディスク１９に記憶される。また各パレット情報は、次の（ｂ）によりユーザが設定できる）。
【０１３６】
（ａ）次に、「Ｌｉｍｉｔ１」スライダ、「Ｌｉｍｉｔ２」スライダ及び「ＣＯＬＯＲ」ボタンにより、各パレットの配色を設定できる。
【０１３７】
詳細には、「Ｌｉｍｉｔ１」スライダでは、０〜２５５階調中の任意帯のうち上限値又は下限値を設定でき、「Ｌｉｍｉｔ２」スライダでは、０〜２５５階調中の任意帯のうち上限値及び下限値を設定できる。ここで、「Ｌｉｍｉｔ１」スライダ、「Ｌｉｍｉｔ２」スライダで設定した値のうち、大きい値が上限値、小さい値が下限値となる（なお、「Ｌｉｍｉｔ１」スライダ、「Ｌｉｍｉｔ２」スライダは、「プリプロセスモード」の「ゲイン」スライダおよび「コントラスト」スライダと同じ操作で使用できる（図３２及び図３３参照））。
【０１３８】
（ｂ）「ＣＯＬＯＲ」ボタンでは、「ＲＥＤ」ボタンを選択すると、「Ｌｉｍｉｔ１」スライダ及び「Ｌｉｍｉｔ２」スライダで設定したレベル帯を「赤」で表示する。また、「ＧＲＥＥＮ」ボタンを選択すると、「Ｌｉｍｉｔ１」スライダ及び「Ｌｉｍｉｔ２」スライダで設定したレベル帯を「緑」で表示する。さらに、「ＢＬＵＥ」ボタンを選択すると、「Ｌｉｍｉｔ１」スライダ及び「Ｌｉｍｉｔ２」スライダで設定したレベル帯を「青」で表示する。
【０１３９】
（ｃ）そして、「ＯＫ」ボタンを押すと、設定を確定してシステム設定カードへ戻り、「ＣＡＮＣＥＬ」ボタンを押すと、設定を破棄してシステム設定カード戻る。
【０１４０】
次に、図４のステップＳ２２でラジアルレビューカード表示命令を受けた装置制御盤２５のＬＣＤ表示部３３に表示されるラジアルレビューカードで操作されるラジアルレビューモードについて説明する。
【０１４１】
ラジアルレビューモードでは、図４５に示すラジアルレビューカードにより、主に、ラジアル検査で画像データ記憶装置（画像メモリ）１７に記憶した超音波画像や、ラジアル検査でハードディスク１９に記録した超音波画像に対して、画像処理を行なうことができる。
【０１４２】
（１）ディスプレイボタン
ラジアル画像の表示パターンを切り替える。全円表示、上半円表示、下半円表示、左半円表示、右半円表示のうち、どれか１つを選択できる（ラジアル検査モードと同様）。
【０１４３】
（２）コントラスト調整スライダー（図４６）
超音波画像のコントラストを調整するＣＰＵ１３が画像処理プロセッサ１８とフレームバッファ２２を制御する事により、極座標変換された超音波画像データを直接制御する。
【０１４４】
１）スライダ：ツマミを押しながら横にスライドさせると、値を更新する。
２）ＵＰボタン：値が増加する。
３）ＤＯＷＮボタン：値が減少する。
４）コントラスト値表示  ：コントラスト値（１〜１００）を表示する。
５）リセットボタン：値を初期状態に戻す。
【０１４５】
（３）ゲイン調整スライダ（図４７）
超音波画像の輝度を調整する。ＣＰＵ１３が画像処理プロセッサ１８とフレームバッファ２２を制御することにより、極座標変換された超音波画像データを直接制御する。
１）スライダ：ツマミを押しながら横にスライドさせると、値を更新する。
２）ＵＰボタン：値が増加する。
３）ＤＯＷＮボタン：値が減少する。
４）リセットボタン：値を初期の状態に戻す。
５）ゲイン値表示    輝度を表示する。
【０１４６】
（４）イメージローテーションダイヤル
ラジアル検査モードと同じであるので説明は省略する（図１８参照）。
【０１４７】
（５）イメージセレクションスライダ
・ラジアル検査モードのイメージセレクションスライダと同じであるので説明は省略する（図１９参照）。
【０１４８】
（６）マルチ表示ボタン
・ラジアル検査モードのマルチ表示と同じであるので説明は省略する（図１３及び図１４参照）。。
【０１４９】
（７）疑似カラーボタン
超音波画像をモノクロで表示させるか、疑似カラーで表示させるかを選択する。
【０１５０】
・１度押すと疑似カラー表示になり、再度押すとモノクロ表示に戻る。なお、疑似カラーの設定（Ｒ，Ｇ，Ｂそれぞれの設定）は、システム設定モードの疑似カラーオプション（図４４参照）で行える。
【０１５１】
（８）エッジ強調ボタン
超音波画像のエッジを強調する。
【０１５２】
１）ＯＦＦ：エッジ強調を解除する。
【０１５３】
２）１：エッジ強調  弱
３）２：エッジ強調  強
（９）ズームボタン
超音波画像を２倍に拡大して表示する。ラジアル検査モードのズームと同じであるので説明は省略する。
【０１５４】
（１０）ラジアル方向ボタン
ラジアル画像の表示方向が切り替わる。ラジアル検査モードのラジアル方向ボタンと同じであるので説明は省略する。
【０１５５】
（１１）平均画像ボタン
イメージセレクタで選択している画像と、１枚前の平均画像を表示する。１度押すと平均画像表示になり、再度押すとイメージセレクタで選択している画像の表示に戻る。
【０１５６】
このとき、次の数式に従って、画像を表示する。
Ｉ（Ｄｉｓｐ）＝（Ｉ（ｎ）＋Ｋ＊（ｎ−１））／（１＋Ｋ）
Ｉ（Ｄｉｓｐ）：表示画像
Ｉ（ｎ）：イメージセレクターで選択している画像
Ｉ（ｎ−１）：イメージセレクターで選択している画像の１つ前
Ｋ：重み付け係数（０．１〜１．０）
なお、重み付け係数Ｋはシステム設定モードの「ＲＡＤＩＡＬ  ＭＯＤＥ  ＯＰＴＩＯＮ…」の設定（図３８）で設定が行える。
【０１５７】
次に、図４のステップＳ２４でヘリカルレビューカード表示命令を受けた装置制御盤２５のＬＣＤ表示部３３に表示されるヘリカルレビューカードで操作されるヘリカルレビューモードについて説明する。
【０１５８】
ヘリカルレビューモードでは、図４８に示すヘリカルレビューカードにより、主に、ヘリカル検査で画像データ記憶装置（画像メモリ）１７に記憶した超音波画像や、ヘリカル検査でハードディスク１９に記録した超音波画像に対して、画像処理を行なうことができる。
【０１５９】
（１）ディスプレイボタン
ラジアル、リニア画像の表示パターンを切り替える。各表示パターンの詳細は、ヘリカル検査モードと同様。
【０１６０】
（２）コントラスト調整スライダ
超音波画像のコントラストを調整する。ラジアルレビューモードと同様。
【０１６１】
（３）ゲイン調整スライダ
超音波画像の輝度を調整する。ラジアルレビューモードと同様。
【０１６２】
（４）リニア方向ボタン
リニア画像の表示方向を切り替える。ヘリカル検査モードと同様。
【０１６３】
（５）ラジアル方向ボタン
ラジアル画像の表示方向を切り替える。ヘリカル検査モードと同様。
【０１６４】
（６）イメージローテーションダイヤル
ラジアル画像、リニア画像を同時に回転する。ラジアル検査モードと同様。
【０１６５】
（７）イメージセレクションスライダ
画像データ記憶装置（画像メモリ）１７に記憶された複数の超音波画像のうち、１枚を選択する。ヘリカル検査モードのイメージセレクションスライダと同様。
【０１６６】
（８）マルチ表示ボタン
画像データ記憶装置（画像メモリ）１７に記憶されている超音波画像を一覧表示する。ラジアル検査モードのマルチ表示と同様。
【０１６７】
（９）疑似カラーボタン
超音波画像をモノクロで表示させるか、疑似カラーで表示させるかを選択する。ラジアルレビューモードと同様。
【０１６８】
図４のステップＳ２３で、装置制御盤２５から「ヘリカルレビューカードタブが押された」以外の情報を受けた場合、本実施の形態ではＣＰＵ１３は、図５のステップＳ３１に処理を移行し、図８に示した各ツールボタンの「セーブボタン（Ｓａｖｅ）」または「ロードボタン（Ｌｏａｄ）」または「シャットダウンボタン」が押されたかを検出する。
【０１６９】
つまり、図４のステップＳ２３で、装置制御盤２５から「ヘリカルレビューカードタブが押された」以外の情報を受けた場合、図５に示すように、図８に示した各ツールボタン、すなわち「セーブボタン（Ｓａｖｅ）」または「ロードボタン（Ｌｏａｄ）」または「シャットダウンボタン」が押されたか、あるいは、共通ボタンである「フリーズボタン（Ｆｒｅｅｚ）」または「記録ボタン（Ｒｅｃ）」が押されたかを検出する。
【０１７０】
詳細には、装置制御盤２５から「ヘリカルレビューカードタブが押された」以外の情報を受けた場合、ＣＰＵ１３は、図５のステップＳ３１で装置制御盤２５から受信した情報が「セーブボタン（Ｓａｖｅ）が押された」情報かどうか判断し、「セーブボタン（Ｓａｖｅ）が押された」情報であれば、ステップＳ３２でセーブツール制御表示命令を装置制御盤２５へ送信して図３のステップＳ３に戻り、「セーブボタン（Ｓａｖｅ）が押された」情報でなければステップＳ３３へ進む。
【０１７１】
ステップＳ３３では、装置制御盤２５から受信した情報が「ロードボタン（Ｌｏａｄ）が押された」情報かどうか判断し、「ロードボタン（Ｌｏａｄ）が押された」情報であれば、ステップＳ３４でロードツール制御表示命令を装置制御盤２５へ送信して図３のステップＳ３に戻り、「ロードボタン（Ｌｏａｄ）が押された」情報でなければステップＳ３５へ進む。
【０１７２】
ステップＳ３５では、装置制御盤２５から受信した情報が「シャットダウンボタンが押された」情報かどうか判断し、「シャットダウンボタンが押された」情報であれば、ステップＳ３６でシャットダウンツール制御表示命令を装置制御盤２５へ送信して図３のステップＳ３に戻り、「シャットダウンボタンが押された」情報でなければステップＳ３７へ進む。
【０１７３】
ステップＳ３７では、装置制御盤２５から受信した情報が「フリーズボタン（Ｆｒｅｅｚ）が押された」情報かどうか判断し、「フリーズボタン（Ｆｒｅｅｚ）が押された」情報であれば、後述するステップＳ５１（図６にて説明）に処理を移行し、「フリーズボタン（Ｆｒｅｅｚ）が押された」情報でなければステップＳ３８へ進む。
【０１７４】
ステップＳ３８では、装置制御盤２５から受信した情報が「記録ボタン（Ｒｅｃ）が押された」情報かどうか判断し、「記録ボタン（Ｒｅｃ）が押された」情報でなければ図３のステップＳ３に戻り、「記録ボタン（Ｒｅｃ）が押された」情報であれば後述するステップＳ７１（図７にて説明）に処理を移行する。
【０１７５】
なお、例えば各カードにおいてその操作オブジェクトを表示させようとすると、より面積の大きいＬＣＤ表示部３３が必要となってコストアップにつながってしまので、図５の各ツール制御表示では、コストアップを招くことなく、且つ操作性を損なうことなく各カードの共通機能をまとめたツールを実現している。
【０１７６】
次に、図５のステップＳ３２でセーブツール制御表示命令を受けた装置制御盤２５のＬＣＤ表示部３３に表示される図４９に示すセーブツールダイアログで操作されるセーブツール制御について説明する。
【０１７７】
このセーブツールは、画像データ記憶装置（画像メモリ）１７に記憶された超音波画像を光磁気ディスク等からなる第２外部記憶装置２０へ記録する機能であり、収集した超音波画像データをパソコンで利用する場合の超音波画像の移動手段として、または第１外部記憶装置（ハードディスク）１９の容量が足りなくなった場合の非常時における記録手段として有効な機能である。
【０１７８】
ここで、セーブツールダイアログ（図４９）の各オブジェクトについて説明する。
【０１７９】
（１）ファイルリスト
現在使用している第２外部記憶装置（光磁気ディスク）２０内に保存されているファイルを表示する。ディレクトリは＜＞で挟まれて表示され、選択されている（反転表示されている）ディレクトリをもう一手度触ると、そのディレクトリへ移動することができる。親ディレクトリは＜…＞で表示される。▲、▼ボタンを押すと、リストをスクロールすることができる。
【０１８０】
（２）「ＣＨＡＮＧＥ…」ボタン（ファイル名の変更）
ファイル名フィールドに表示されているファイル名を変更する場合に使用する。「ＣＨＡＮＧＥ…」ボタンを押すと、図５０のような「ファイル名入力ダイアログ」が表示される。仮想キーボードの各ボタンを直接触わって、表示されているファイル名を変更する。「ＯＫ」ボタンを押すと変更したファイル名が確定され、セーブツールダイアログ（図４９）に戻る。「ＣＡＮＣＥＬ」ボタンを押すと、ファイル名は変更前の状態でセーブツールダイアログ（図４９）へ戻る。
【０１８１】
（３）「ＥＵＳ  Ｔｙｐｅ」の設定（ＳＥＴ、ＳＩＮＧＬＥボタン）
超音波画像を１枚毎に記録するか、画像データ記憶装置（画像メモリ）１７単位で記録するかを設定する。「ＳＥＴ」ボタンを選択すると、画像データ記憶装置（画像メモリ）１７に記録されている超音波画像を１セットで記録する。「ＳＩＮＧＬＥ」ボタンを選択すると、モニタに表示されている超音波画像のみが記録される。
【０１８２】
（４）「Ｉｍａｇｅ  Ｔｙｐｅ」の設定（ＥＵ−ＩＰ、ＢＭＰボタン）
画像データ形式を設定する。「ＥＵ−ＩＰ」ボタンを選択すると、ＥＵ−ＩＰの音線データ形式で超音波画像を記録する。「ＢＭＰ」ボタンを選択すると、パソコン等で利用可能なビットマップ形式ぶ超音波画像を記録する。
【０１８３】
（５）「Ｓａｖｅ」ボタン
「Ｓａｖｅ」ボタンを押すと、第２外部記憶装置（光磁気ディスク）２０への記録完了後にセーブツールダイアログが閉じて、セーブツールは終了する。
【０１８４】
（６）「Ｃａｎｃｅｌ」ボタン
「Ｃａｎｃｅｌ」ボタンを押すと、第２外部記憶装置（光磁気ディスク）２０への記録は行わずに、セーブツールダイアログが閉じて、セーブツールは終了する。
【０１８５】
次に、セーブツールダイアログで操作されるセーブツール制御を具体的に説明する。
【０１８６】
（ａ）セーブツールを使用して、第２外部記憶装置（光磁気ディスク）２０へ超音波画像を記録する手順
１）光磁気ディスクを第２外部記憶装置（光磁気ディスク）２０へ挿入する。
【０１８７】
２）ＬＣＤ表示部３３上の図５１（ラジアル検査カード（図１２）におけるツールボタンの配置を示す図）に示すセーブボタンを押すと、図４９に示したセーブダイアログが表示される。
【０１８８】
セーブダイアログにおいて、ファイルリストフィールドには、第２外部記憶装置（光磁気ディスク）２０に記録されているディレクトリ、ファイル名が表示される。ファイル名フィールドには、本装置が自動的に生成したファイル名が表示されている。
【０１８９】
３）ファイルリストを操作して、記録したいディレクトリへ移動する。
【０１９０】
４）ファイル名を変更する場合は、「Ｃｈａｎｇｅ」ボタンを押して、ファイル名を変更する。ファイルリストに上書きしたいファイルがあれば、その行を触わって選択する。選択された行は反転表示される。また、選択された行のファイル名がファイル名フィールドに表示され、このまま以下の５）を実行すると超音波画像データが選択されたファイルに上書きされる。
【０１９１】
５）「ＳＡＶＥ」ボタンを押すと、第２外部記憶装置（光磁気ディスク）２０への記録が開始される。
【０１９２】
次に、図５のステップＳ３４でロードツール制御表示命令を受けた装置制御盤２５のＬＣＤ表示部３３に表示される図５２に示す患者選択ダイアログで操作されるロードツール制御について説明する。
【０１９３】
このロードツールは、  第１外部記憶装置（ハードディスク）１９に記録された超音波画像、または光磁気ディスク等からなる第２外部記憶装置２０へ記録された超音波画像を読み出して、高画質モニタ２４に表示する機能である。
【０１９４】
ここで、患者選択ダイアログ（図５２）の各オブジェクトについて説明する。
【０１９５】
（１）「ＨＤＤ」、「ＭＯ」ボタン
画像の再生元（超音波画像データの読み出し元）を指定する。
【０１９６】
・「ＨＤＤ」を選択すると第１外部記憶装置（ハードディスク）１９に記録されている超音波画像を再生する。また。「ＭＯ」を選択すると、セーブツール等で第２外部記憶装置（光磁気ディスク）２０に記録された超音波画像を再生する。
【０１９７】
（２）患者／画像リスト
「ＨＤＤ」ボタンが選択されている場合は、第１外部記憶装置（ハードディスク）１９に登録されている患者ＩＤを表示する。「ＭＯ」ボタンが選択されている場合は、第２外部記憶装置（光磁気ディスク）２０に記録されている超音波画像ファイル名及びディレクトリが表示される。リスト内の一行を直接触わって選択する。選択された行は反転表示される。また、リスト横のスクロールボタン（▲、▼）により、リストをスクロールできる。
【０１９８】
なお、（「ＭＯ」ボタンが選択されている場合）ディレクトリは＜＞で挟まれて表示され、選択されている（反転表示されている）ディレクトリをもう一度触わると、そのディレクトリへ移動することができる。（「ＭＯ」ボタンが選択されている場合）親ディレクトリ＜…＞で表示される。
【０１９９】
また、患者／画像リストから患者ＩＤを選択して「ＯＫ」ボタンを押すと、図５３に示すような後述する画像選択ダイアログが表示される。
【０２００】
（３）「ＮＡＭＥ」、「ＩＤ」、「ＲＥＣＥＮＴ」ボタン
患者リストをソートする事ができる。「ＮＡＭＥ」を選択すると、患者名のＡＢＣ順にリストを表示する。「ＩＤ」を選択すると、患者ＩＤのＡＢＣ順にリストを表示する。「ＲＥＣＥＮＴ」を選択すると、検査日の新しい順にリストを表示する。なお、「ＭＯ」ボタンが選択されている場合は使用できない。
【０２０１】
（４）「ＣＡＮＣＥＬ」ボタン
患者選択ダイアログを閉じてロードツールを終了する。
【０２０２】
（５）「ＯＫ」ボタン
「ＨＤＤ」ボタンが選択されている場合は、患者選択ダイアログを開く。また、「ＭＯ」ボタンが選択されている場合は、超音波画像を再生する。
【０２０３】
ここで、患者／画像リストから患者ＩＤを選択して「ＯＫ」ボタンを押した際に表示される画像選択ダイアログ（図５３）の各オブジェクトについて説明する。
【０２０４】
（１）検査日リスト
患者選択ダイアログの患者／画像リストで選択された患者に含まれる検査日情報の一覧を表示する。リスト内の一行を直接触わって選択します。選択された行は反転表示される。リスト横のスクロールボタン（▲、▼）により、リストをスクロールできる。
【０２０５】
（２）画像リスト
検査日リストで選択されている検査日に含まれる画像の一覧を表示する。リスト内の一行を直接触わって選択する。選択された行は反転表示される。リスト横のスクロールボタン（▲、▼）により、リストをスクロールできる。
【０２０６】
画像リストに表示されるファイル名は、画像の種類によって次のような決まりがある。
【０２０７】
「Ｒ＿ｈｈｍｍｓｓ＿ＸＸＸＸ」：ラジアル検査またはラジアルレビューモードで、ＳＩＮＧＬＥ記録された画像。
・「ｈｈｍｍｓｓ」は記録された時間、分、秒を表している。
・「ＸＸＸＸ」は、本装置が自動的に付ける番号。ＯＯＯＯ〜ＺＺＺＺの範囲で付けられる。
【０２０８】
「Ｒｓ＿ｈｈｍｍｓｓ＿ＸＸＸＸ」：ラジアル検査またはラジアルレビューモードで、ＳＥＴ記録された画像。
・「ｈｈｍｍｓｓ」は記録された時間、分、秒を表している。
・「ＸＸＸＸ」は、本装置が自動的に付ける番号。ＯＯＯＯ〜ＺＺＺＺの範囲で付けられる。
【０２０９】
「Ｈｓ＿ｈｈｍｍｓｓ＿ＸＸＸＸ」：ヘリカル検査またはヘリカルレビューで記録された画像。
・「ｈｈｍｍｓｓ」は記録された時間、分、秒を表している。
・「ＸＸＸＸ」は、本装置が自動的に付ける番号。ＯＯＯＯ〜ＺＺＺＺの範囲で付けられる。
【０２１０】
・ラジアル検査、レビューモードでのＳＩＮＧＬＥ、ＳＥＴ記録の選択は、システム設定モードにおけるＲｅｃｏｒｄｉｎｇ  Ｏｐｔｉｏｎ（図３４参照）で行なうことができる。
【０２１１】
（３）「ＳＥＴ」、「ＳＩＮＧＬＥ」ボタン
画像リストの表示方法を切り替える。「ＳＥＴ」を選択すると、ラジアル画像、ヘリカル画像をセット単位で表示する。「ＳＩＮＧＬＥ」を選択すると、全ての画像を表示する。
【０２１２】
（４）「ＣＡＮＣＥＬ」ボタン
画像選択ダイアログを閉じて、患者選択ダイアログに戻る。
【０２１３】
（５）「ＬＯＡＤ」ボタン
画像リストで選択されている画像を再生する。
【０２１４】
次に、患者選択ダイアログで操作されるロードツール制御を具体的に説明する。
【０２１５】
（ａ）ロードツールを使用して、第１外部記憶装置（ハードディスク）１９から超音波画像を再生する手順
１）ＬＣＤ表示部３３上のロードツールボタンを押すと、患者選択ダイアログ（図５２）が表示される。初めに「ＨＤＤ」ボタンが選択されており、第１外部記憶装置（ハードディスク）１９に登録されている患者ＩＤのリストが表示される（検査予約モードで、過去に検査予約した事のある患者ＩＤがここで表示される）。
【０２１６】
２）患者／画像リストから患者ＩＤを選択して「ＯＫ」ボタンを押すと、画像選択ダイアログ（図５３参照）が表示される。
【０２１７】
３）画像選択ダイアログ（図５３）の検査日リストから検査日を選択すると、その検査日に含まれる超音波画像ファイル名が画像リストに表示される。
【０２１８】
４）画像選択ダイアログ（図５３）の画像リストから、再生したい超音波画像ファイルを選択して「ＬＯＡＤ」ボタンを押すと、選択した超音波画像が再生される。なお、画像リストから他の超音波画像を選択して「ＬＯＡＤ」ボタンを押せば、そのまま他の超音波画像を再生することができる。
【０２１９】
（ｂ）ロードツールを使用して、第２外部記憶装置２０から超音波画像を再生する手順
１）セーブツール等で超音波画像が記録されている光磁気ディスクを第２外部記憶装置２０へ挿入する。
【０２２０】
２．ＬＣＤ表示部３３上のロードツールボタンを押すと、患者選択ダイアログ（図５２）が表示される。
【０２２１】
３）「ＭＯ」ボタンを押すと、患者／画像リストには光磁気ディスクに記録されている超音波画像ファイル名が表示される。
【０２２２】
４）患者／画像リストから再生したい超音波画像ファイルを選択して「ＯＫ」ボタンを押すと、選択した超音波画像が再生される。なお、患者／画像リストから他の超音波画像を選択して「ＯＫ」ボタンを押せば、そのまま他の超音波画像を再生することができる。
【０２２３】
（ｃ）ロードツールの終了
患者選択ダイアログで、「Ｃａｎｃｅｌ」ボタンを押すとロードツールが終了する。
【０２２４】
次に、図５のステップＳ３６でシャットダウンツール制御表示命令を受けた装置制御盤２５のＬＣＤ表示部３３に表示される図５４に示すシャットダウンダイアログで操作されるシャットダウンツール制御について説明する。
【０２２５】
シャットダウンツールでは、ツールボタン右端のシャットダウンを押すと、ＣＰＵ１３がシャットダウンシーケンスに入る。シャットダウンシーケンスでは、システム設定カード（図３４）やプリプロセス（図２９、３０）で設定したスライダ値を第１外部記憶装置（ハードディスク）１９へ記録して、次回電源が投入された時に同じ設定となるようにする。
【０２２６】
具体的には、
１）シャットダウンボタンを押すと、図５４のようなシャットダウンダイアログがＬＣＤ表示部３３に表示される。
【０２２７】
２）シャットダウンダイアログで「ＯＫ」ボタンを押すと、図５５のようなメッセージダイアログが表示され、主電源スイッチを切っても良いことが通知される。
【０２２８】
上記１）、２）の間に、ＣＰＵ１３は、システム設定カード（図３４）やプリプロセス（図２９、３０）で設定したスライダ値を第１外部記憶装置（ハードディスク）１９へ記録して、次回電源が投入された時に同じ設定となるようにする。へ記録する。
【０２２９】
３）シャットダウンダイアログで「ＣＡＮＣＥＬ」ボタンを押すと、「シャットダウン」ボタンを押す直前の状態に復帰する。
【０２３０】
次に、共通ボタンである「ＲＥＣ」ボタン、「ＦＲＥＥＺＥ」ボタンが押された場合の動作について説明する。
【０２３１】
まず、図５のステップＳ３７で、装置制御盤２５から「フリーズボタン（Ｆｒｅｅｚ）が押された」情報を受けた場合、図６に示すように、ステップＳ５１でＣＰＵ１３は、現在フリーズ中（超音波画像の取り込み停止中）であるかを判定する。フリーズ解除中（超音波画像取り込み中）であれば、ステップＳ５２へ進み、フリーズ中で有ればステップＳ５３へ進む。
【０２３２】
ステップＳ５２では、ＣＰＵ１３は「画像取り込み停止命令」を超音波観測部のシステムコントローラ１２へ送信して超音波画像の取り込みを停止し、図３のステップＳ３へ戻る。
【０２３３】
また、ステップＳ５３では、現在ヘリカル検査モードであるか否かを判定する。ヘリカル検査モードであれば（図２０のヘリカル検査カード表示で制御されていれば）、ステップＳ５４へ進み、そうでなければステップＳ５５に進む。
【０２３４】
ステップＳ５４ではユーザによりヘリカル検査カードのレンジボタン、ストロークボタン、ピッチボタン、画質ボタンで設定された観測レンジデータ、ストロークデータ、ピッチデータ、ＨｉＱｕａｌｉｔｙ又はＳｔａｎｄａｒｄのコードデータをシステムコントローラ１２へ送信する。さらにステップＳ５７へ進んで「画像取り込み開始命令」をシステムコントローラ１２へ送信し、超音波画像の取り込みを開始する。
【０２３５】
一方、ステップＳ５３でヘリカル検査モードで無いと判定された場合は、ステップＳ５５へ進んで現在ラジアル検査モードであるか否かを判定する。ラジアル検査モードでなければ図３のステップＳ３へ戻り、ラジアル検査モードであれば（図１２のラジアル検査カード表示で制御されていれば）、ステップＳ５６へ進む。
【０２３６】
ステップＳ５６では、ユーザによりラジアル検査カードのレンジボタン、画質ボタンで設定された観測レンジデータ、ＨｉＱｕａｌｉｔｙ又はＳｔａｎｄａｒｄのコードデータをシステムコントローラ１２へ送信し、さらにステップＳ５７へ進んで、画像の取り込みを開始する。
【０２３７】
ステップＳ５７で「画像取り込み開始命令」をシステムコントローラ１２へ送信したＣＰＵ１３は、ステップＳ５８でシステムコントローラ１２からの返信コードを受信する。返信コードが「ＯＫ」であれば、超音波観測部２が正常に動作しているので図３のステップＳ３へ戻るが、返信コードが「ＮＧ」であれば、異常が発生して超音波画像の取り込みが行われていないことをユーザに知らせるためにステップＳ５９へ進んでエラー発生表示を行ない、ステップＳ６０に進む。
【０２３８】
ステップＳ５９において、ＣＰＵ１３は装置制御盤２５のＣＰＵ３０と通信を行なってＬＣＤ表示部３３に図５６に示すようなエラー表示を行なう。なお、このとき、ＣＰＵ１３はフレームバッファ２２を制御して同様のエラー表示を高画質モニタ２４に行なうことも可能である。
【０２３９】
ステップＳ６０においては、図５６に示すエラー表示と共にＬＣＤ表示部３３に表示されているＯＫボタンをユーザが押したかどうかを検知する。ユーザが「ＯＫ」ボタンを押すと、まず、装置制御盤２５のＣＰＵ３０がそれを検知する。そして、装置制御盤２５のＣＰＵ３０は通信により「ＯＫボタンが押されたこと」をＣＰＵ１３へ通知し、「ＯＫボタンが押されたこと」の通知を受けたＣＰＵ１３は、装置制御盤２５のＣＰＵ３０との通信及びフレームバッファ２２を制御してＬＣＤ表示部３３及び高画質モニタ２４のエラー表示を解除してステップＳ５２へ進み、ステップＳ５２で超音波観測部２へ「画像取込停止命令」を送信した後に図３のステップＳ３へ戻る。
【０２４０】
なお、本実施の形態において、エラー表示後にステップＳ５２へ戻って超音波観測部２へ「画像取り込み停止命令」を送信するのは、異常状態のまま画像の取り込み動作を続けると、これが原因でさらに他の異常が超音波観測部２に発生する可能性があり、安全のために「画像の取り込み停止命令」を送信している。
【０２４１】
また、本実施の形態において、ステップＳ５５で「Ｎｏ」と判定された場合は図３のステップＳ３に戻るために、検査予約モード及びシステム設定モードではＦｒｅｅｚｅボタンにより画像取り込み／停止の制御が行えないようになっているが、これは説明を簡略化する為であって、実際には検査予約モード及びシステム設定モードが使用される前にはラジアル検査モードが使用されていたか、あるいはヘリカル検査モードが使用されていたかをＣＰＵ１３が主記憶装置（メインメモリ）１４に記憶しておいて、その情報を元にステップＳ５４又はステップＳ５６の制御を行なうことが可能である。
【０２４２】
この動作フローチャートによって、ユーザは「ＦＲＥＥＺＥ」ボタンにより超音波画像の取り込み／停止を操作できる。
【０２４３】
次に、図５のステップＳ３８で、装置制御盤２５から「記録ボタン（ＲＥＣ）が押された」情報を受けた場合、図７に示すように、ステップＳ７１でＣＰＵ１３は、現在ラジアル検査またはレビューモードであるか（図１２のラジアル検査カード表示、または図４５のラジアルレビューカード表示で制御されているか）を判定する。ラジアル検査またはレビューモードであればステップＳ７２へ進み、そうでなければステップＳ７３へ進む。
【０２４４】
ステップＳ７２では、システム設定モードの「ＲＥＣＯＲＤ  ＯＰＴＩＯＮ」（図３４及び図３７参照）で「ＲＥＣＯＲＤ  ＳＩＮＧＬＥ  ＩＭＡＧＥ」が設定されているか、「ＲＥＣＯＲＤ  ＩＭＡＧＥ    ＳＥＴ」が設定されているかを判定する。
【０２４５】
ステップＳ７２において、「ＲＥＣＯＲＤ  ＳＩＮＧＬＥ  ＩＭＡＧＥ」の場合はステップＳ７４へ進みファイル名を次のように設定して、ステップＳ７７に進む。
【０２４６】
「Ｒ＿ｈｈｍｍｓｓ＿ＸＸＸＸ」：ラジアル検査またはラジアルレビューモードで、ＳＩＮＧＬＥ記録された画像。
・「ｈｈｍｍｓｓ」は記録された時間、分、秒を表している。
・「ＸＸＸＸ」は、本装置が自動的に付ける番号。ＯＯＯＯ〜ＺＺＺＺの範囲で付けられる。
【０２４７】
また、ステップＳ７２において、「ＲＥＣＯＲＤ  ＳＩＮＧＬＥ  ＩＭＡＧＥ」の場合は、ステップＳ７５へ進みファイル名を次のように設定して、ステップＳ７７に進む。
【０２４８】
「Ｒｓ＿ｈｈｍｍｓｓ＿ＸＸＸＸ」：ラジアル検査またはラジアルレビューモードで、ＳＥＴ記録された画像。
・「ｈｈｍｍｓｓ」は記録された時間、分、秒を表している。
・「ＸＸＸＸ」は、本装置が自動的に付ける番号。ＯＯＯＯ〜ＺＺＺＺの範囲で付けられる。
【０２４９】
一方、ステップＳ７３では、ＣＰＵ１３は、現在ヘリカル検査またはレビューモードであるか（図２０のヘリカル検査カード表示、または図４８のヘリカルレビューカード表示で制御されているか）を判定する。ヘリカル検査またはレビューモードであればステップＳ７６へ進み、そうでなければ図３のステップＳ３へ戻る。
【０２５０】
ステップＳ７６でＣＰＵ１３は、ファイル名を次のように設定する。
【０２５１】
「Ｈｓ＿ｈｈｍｍｓｓ＿ＸＸＸＸ」：ヘリカル検査またはヘリカルレビューで記録された画像。
・「ｈｈｍｍｓｓ」は記録された時間、分、秒を表している。
・「ＸＸＸＸ」は、本装置が自動的に付ける番号。ＯＯＯＯ〜ＺＺＺＺの範囲で付けられる。
【０２５２】
そして、ステップＳ７６、ステップＳ７４、ステップＳ７５でこれから記録をする超音波画像データのファイル名を設定したＣＰＵ１３は、ステップＳ７７に進み、ステップＳ７７で画像データ記憶装置（画像メモリ）１７に記録されている超音波画像データを第１外部記憶装置（ハードディスク）１９へ転送して記録を行ない、図３のステップＳ３へ戻る。
【０２５３】
なお、本実施の形態において、ステップＳ７３で「Ｎｏ」と判定された場合は図３のステップＳ３に戻るために、検査予約モード及びシステム設定モードでは記録ボタンにより画像の記録が行なえないようになっているが、これは説明を簡略化するためであって、実際には検査予約モード及びびシステム設定モードが使用される前にはラジアル検査モード（またはレビューモード）が使用されていたか、あるいはヘリカル検査モード（またはレビューモード）が使用されたいたかＣＰＵ１３が主記憶装置（メインメモリ）１４に記憶しておいて、その情報を元にステップＳ７６、ステップＳ７４またはステップＳ７５の制御を行なうことが可能である。
【０２５４】
この動作フローチャートによって、ユーザは記録ボタンにより超音波画像の記録が操作できる。
【０２５５】
（効果）
このように本実施の形態では、画像処理部３のＣＰＵ１３の制御により、装置制御盤２５のＬＣＤ表示部３３にボタン等の複数の操作用オブジェクトからなる各種カード及びツールを表示させ、ＬＣＤ表示部３３に設けられたタッチパネルを操作するだけで各種制御ができるので、コストの削減及び装置の小型化を達成することができ、さらに操作性を向上させることができる。
【０２５６】
図５７ないし図５９は本発明の第２の実施の形態に係わり、図５７は画像処理部のＣＰＵの記録制御の流れを示すフローチャート、図５８は図５７の処理により記録された超音波画像ファイルの構造を示す図、図５９は図５７の処理により記録された超音波画像ファイルのロード処理の流れを示すフローチャートである。
【０２５７】
第２の実施の形態は、第１の実施の形態とほとんど同じであるので、異なる点のみ説明し、同一の構成には同じ符号をつけ説明は省略する。
【０２５８】
まず、記録ボタンが押された時の本実施の形態の動作を図５７により説明する。
【０２５９】
図５７に示すように、ステップＳ７１〜ステップＳ７６の前までは、第１の実施の形態の図７と同様であって、本実施の形態では、ステップＳ８１において、ＣＰＵ１３は画像ヘッダ情報（図５８、表４にて説明）を設定して、主記憶装置（メインメモリ）１４に記憶しステップＳ８２へ進む。
【０２６０】
ステップＳ８２では、主記憶装置（メインメモリ）１４に記憶した画像ヘッダ情報を第１外部記憶装置（ハードディスク）１９へ転送して記録し、ステップＳ８３に進む。
【０２６１】
ステップＳ８３では、ステップＳ８２に続けて画像データ記憶装置（画像メモリ）１７に記憶されている超音波画像データを第１外部記憶装置（ハードディスク）１９へ転送して記録を行ない、ステップＳ８３の記録を終了すると、図３のステップＳ３へ戻る。
【０２６２】
従って、図５７の処理により記録された超音波画像ファイルは、図５８のような構造を持つことになる。すなわち、先頭から数バイトは画像ヘッダで構成され、画像ヘッダ以降は超音波画像の音線データで構成される。音線データは
画質モード＝「Ｎｏｒｍａｌ」では５１２×５１２（バイト）
画質モード＝「ＨＱ」では１０２４×５１２（バイト）
の大きさを持つ。
【０２６３】
画像ヘッダの構造を表４に示す。
【０２６４】
【表４】
0003586098.tif 000005
各データを簡単に説明すると、
・音線データ幅→画質モード＝「Ｎｏｒｍａｌ」では５１２、画質モード＝「ＨＱ」では１０２４が設定される。
【０２６５】
・音線データ高さ→常に５１２
・記録時刻（秒、分、時、日、月、年、曜日）→記録ボタンが押された時刻を設定する。
【０２６６】
・患者ＩＤ、患者氏名、患者生年月日、患者年齢、患者性別→検査予約モードで設定されたデータを設定する。
【０２６７】
・レンジ→ラジアル検査またはヘリカル検査で設定されたデータを設定する。
【０２６８】
・ストローク、ピッチ→ヘリカル検査で設定されたデータを設定する。
【０２６９】
・走査周波数→図１において、システムコントローラ１２との通信で検知した、装着されている超音波プローブが対応している超音波周波数の情報を設定する。
【０２７０】
・動作モード→記録ボタンが実行された時、ラジアル検査、ヘリカル検査、ラジアルレビュー、ヘリカルレビューのどのモードで制御されていたかの情報を設定する。
【０２７１】
次に、Ｌｏａｄツールで画像が再生された時の本実施の形態の動作を図５９により説明する。
【０２７２】
図５９に示すように、ステップＳ９１では、ロードツールで「Ｌｏａｄ」が実行されたか否かを判定する。「Ｌｏａｄ」が実行された場合はステップＳ１０２へ進み、そうでない場合はステップＳ９２へ進む。
【０２７３】
ステップＳ９１で「Ｌｏａｄ」が実行された場合、ＣＰＵ１３はステップＳ１０２で読み出した超音波画像ファイルのうち画像ヘッダー部分を主記憶装置（メインメモリ）１４へ記憶してステップＳ１０３へ進む。ステップＳ１０３では読み出した超音波画像ファイルのうち超音波画像データ部分を画像データ記憶装置（画像メモリ）１７へ記憶してステップＳ１０４へ進む。ステップＳ１０４では、画像データ記憶装置（画像メモリ）１７、極座標変換部１６、フレームバッファ２２を制御して超音波画像の再生を実行し、再びステップＳ９１へ戻り、「Ｌｏａｄ」が実行されたか否かを判定する。
【０２７４】
ステップＳ９２で「Ｃａｎｃｅｌ」、すなわちＬｏａｄツールの終了が選択されたか否かを判定する。「Ｃａｎｃｅｌ」が選択されていない場合は再びステップＳ９１へ戻り、「Ｃａｎｃｅｌ」が選択されてた場合はステップＳ９３へ進んで、ＣＰＵ１３は装置制御盤２５のＣＰＵ３０と通信を行なって、ロードツールを終了しステップＳ９４へ進む。
【０２７５】
ステップＳ９４において、ＣＰＵ１３は現在再生している超音波画像の（ステップＳ１０２で記憶されている）画像ヘッダ情報の動作モード情報を主記憶装置（メインメモリ）１４より読み出してステップＳ９５へ進む。
【０２７６】
ステップＳ９５では、読み出した動作モードがラジアル検査モードか否かを判定する。ラジアル検査モードであればステップＳ９９へ進みラジアル検査カード表示命令を行い、そうでなければステップＳ９６に進み読み出した動作モードがヘリカル検査モードか否かを判定する。
【０２７７】
ステップＳ９６でヘリカル検査モードであればステップＳ１００へ進みヘリカル検査カード表示命令を行い、そうでなければステップＳ９７へ進む。ステップＳ９７では、読み出した動作モードがラジアルレビューモードか否かを判定する。ラジアルレビューモードであればステップＳ１０１へ進みラジアルレビューカード表示命令を行い、そうでなければステップＳ９８へ進みヘリカルレビューカード表示命令を行う。
【０２７８】
なお、ステップＳ９９、ステップＳ１００、ステップＳ１０１、ステップＳ９８において、ＣＰＵ１３は、ＬＣＤ表示部３３に夫々判定した動作モードの制御カードが表示されるように装置制御盤２５のＣＰＵ３０と通信を行なう。すなわちステップＳ９９ではＬＣＤ表示部３３にラジアル検査カード（図１２参照）が表示され、ステップＳ１００ではヘリカル検査カード（図２０参照）が表示され、ステップＳ１０１ではラジアルレビューカード（図４５参照）が表示され、ステップＳ９８ではリカルレビューカード（図４８参照）が表示される。装置制御盤２５のＣＰＵ３０と通信を終了すると、ＣＰＵ１３は再生動作の処理を終了する。
【０２７９】
こうして本実施の形態は、画像再生時に、読み出した画像が記録された時の動作モードを判別して、そのモードへ自動的に遷移することが可能になる。
【０２８０】
このように本実施の形態では、第１の実施の形態の効果に加え、記録時には超音波画像のデータと共に動作モード情報も記録し、再生時には超音波画像データともに動作モード情報も読み出して、ＣＰＵ１３が自動的に制御盤２１のＬＣＤ表示部３３を制御する（例えば、ラジアル検査モードで記録した場合は、ＬＣＤ表示部３３が図１２の表示となるように制御する）ようにしたため、操作性を格段に向上させることができる。
【０２８１】
図６０ないし図６６は本発明の第３の実施の形態に係わり、図６０はシステム設定カードを示す図、図６１は図６０のシステム設定カードで「ＬＩＮＥＲ  ＭＯＤＥ  ＯＮ」とした場合の検査モード制御部表示を示す図、図６２は図６０のシステム設定カードで「ＬＩＮＥＲ  ＭＯＤＥ  ＯＮ」とした場合のレビューモード制御部表示を示す図、図６３は図６１の検査モード制御部表示によるリニア検査カードを示す図、図６４は図６３のリニア検査カードによる簡易ラジアル画像表示例を示す図、図６５は図６３のリニア検査カードによるリニア画像表示例を示す図、図６６は図６２のレビューモード制御部表示によるリニアレビューカードを示す図である。
【０２８２】
第３の実施の形態は、第１の実施の形態とほとんど同じであるので、異なる点のみ説明し、同一の構成には同じ符号をつけ説明は省略する。
【０２８３】
超音波診断装置の使われ方として、ユーザ（ドクタ）によっては必ずしもラジアル検査、ラジアルレビュー、ヘリカル検査、ヘリカルレビュー、リニア検査、リニアレビューの全てを使用するとは限らない。リニア検査及びリニアレビューモードは使用しないユーザーもいる。したがって、従来のように制御盤をメカニカルスイッチ等で構成した場合は、リニア検査及びリニアレビューを使用しないユーザにとっては使用しない操作スイッチ等が多く並ぶ使いにくい制御盤となってしまう。また、リニア検査及びリニアレビューを使用するユーザ向けと、リニア検査及びリニアレビューを使用しないユーザ向けの２種類の制御盤を製造するのはコストアップを招いてしまう。
【０２８４】
そこで、本実施の形態では、システム設定モードの設定により、リニア検査モード、リニアレビューモードを加えることが可能であり、かつこれらモードのカードをＬＣＤ表示で構成することによって、コストアップを招かず使い勝手の良い超音波診断装置を実現している。
【０２８５】
なお、本実施の形態では、リニア検査、リニアレビューモードを加えるか否かをＳＹＳＴＥＭ設定で設定できるようにしているが、システム設定モードの構成を若干変更することで、ラジアル検査、ラジアルレビュー、ヘリカル検査、ヘリカルレビュー、リニア検査、リニアレビューのうち、使用したいモードをシステム設定で自由に選択できるようにすることも可能である。
【０２８６】
本実施の形態におけるシステム設定カードは、図６０に示すように、図３４で説明した第１の実施の形態のシステム設定カードに「ＬＩＮＥＲ  ＭＯＤＥ  ＯＮ／ＯＦＦ」ボタンが追加されている。「ＬＩＮＥＲ  ＭＯＤＥ  ＯＮ／ＯＦＦ」ボタンは一度押すと「ＯＮ」状態になり、もう一度押すと「ＯＦＦ」状態になるトグル動作をする。
【０２８７】
「ＬＩＮＥＲ  ＭＯＤＥ  ＯＮ／ＯＦＦ」ボタンを「ＯＮ」状態にすると、検査モード制御部表示は図６１のようになる。すなわち、「Ｈｅｌｉｃａｌ  Ｅｘａｍ」タブと「Ｐｒｅｐｒｏｃｅｓｓ」タブの間に「Ｌｉｎｅｒ  Ｅｘａｍ」タブが表示され、「リニア検査カード」が選択できるようになる。
【０２８８】
また、基本モード変更ボタン（ＭＯＤＥ）を押した場合のレビューモード制御部表示は図６２のようになり、「Ｈ．（Ｈｅｌｉｃａｌ）  Ｒｅｖｉｅｗ」タブの右側に「Ｌ．（Ｌｉｎｅｒ）  Ｒｅｖｉｅｗ」タブが表示され「リニアレビューカード」（図６６）が選択できるようになる。
【０２８９】
「Ｌｉｎｅｒ  Ｅｘａｍ」タブによる、図６３に示すようなリニア検査カードで操作されるリニア検査モードとは、超音波プローブ４の先端に取り付けた超音波振動子を回転駆動させずに、回転軸の軸方向にリニア状に走査することによりのみエコー信号を受信し、超音波振動子の回転面に垂直な断面画像（リニア画像）のみを得て高画質モニタ２４に表示するモードである。
【０２９０】
ここで、リニア検査カードの各オブジェクト（図６３）について説明する。
【０２９１】
（１）レンジボタン
リニア画像の表示レンジを切り替える。１、２、４、６、９、１２ｃｍの各ボタンのうち、どれか１つを選択できる。
【０２９２】
（２）ディスプレイボタン
このボタンを押すことで高画質モニタ２４に表示されるラジアル、リニア画像の表示パターンを、簡易ラジアルモード表示（図６４）及びリニアモード表示（図６５）に切り替える。
【０２９３】
（３）ストロークボタン
ヘリカルスキャンのストローク長を切り替える。これにより超音波振動子の回転軸方向の移動距離を設定できる。１５、２０、３０、４０ｍｍの各ボタンのうち、どれか１つを選択できる。
【０２９４】
（４）ピッチボタン
音線データを得るリニア方向のピッチを切り替える。０．０５、０．１、０．１５、０．２、０．２５ｍｍの各ボタンのうち、どれか１つを選択できる。
【０２９５】
（５）画質ボタン
第１の実施の形態のラジアル検査カード（図１２）の画質ボタンと同じである。
【０２９６】
（６）ストロークモードボタン
１ストローク間のみリニア画像を取り込んで自動的にフリーズされるモード（「ＡｕｔｏＳｔｏｐ」＝Ｏｎ）と、何ストロークでも連続してリニア画像を取り込み続けるモード（「ＡｕｔｏＳｔｏｐ」＝Ｏｆｆ）が選択できる。一度押すと、「ＡｕｔｏＳｔｏｐ」＝Ｏｎとなり、再度押すと「ＡｕｔｏＳｔｏｐ」＝Ｏｆｆになる。
【０２９７】
（７）リニア方向ボタン
リニア画像の表示方向が切り替える。リニア画像のプローブ先端側を右向きに表示するか左向きに表示するかを切り替えることができる。リニア画像の表示方向を切り替えると、ＣＲＴ画面表示のプローブ挿入方向マーカ表示が切り替わる。
【０２９８】
（８）イメージローテーションダイヤル
ディスプレイボタンで、簡易ラジアル表示が選択されている場合のみ使用できる。簡易ラジアルモードで、図６４のようにラジアル画像が高画質モニタ２４に表示されている場合、関心領域をリニアの切断位置へ合わせる場合に使用する。操作方法は、第１の実施の形態のラジアル検査カード（図１２）のイメージローテーションダイヤルと同じである。
【０２９９】
次に、リニア検査の操作手順について説明する。
【０３００】
（１）ディスプレイボタンの簡易ラジアル表示を選択して、「Ｆｒｅｅｚｅ」ボタンによりフリーズを解除するとラジアル画像が図６４のように表示される。
【０３０１】
（２）イメージローテーションダイヤルを使用して、関心領域がリニア切断位置に合うように操作する。
【０３０２】
（３）ディスプレイボタンのリニア表示を選択すると、超音波プローブ４の先端に取り付けた超音波振動子はリニア走査を開始してリニア画像の取得が行われ、高画質モニタ２４の表示は図６５のように変わって、取得したリニア画像が表示される。
【０３０３】
次に、リニアレビューカードの各オブジェクトについて、図６６を用いて説明する。
【０３０４】
リニアレビューカードで操作されるリニアレビューモードとは、リニア検査で画像データ記憶装置（画像メモリ）１７に記憶した超音波画像や、リニア検査で第１外部記憶装置（ハードディスク）１９に記録した超音波画像にたいして、画像処理を行なうことができる。
【０３０５】
（１）コントラスト調整スライダ
超音波画像のコントラストを調整する。ラジアルレビューモードと同様である（図４６参照）。
【０３０６】
（２）ゲイン調整スライダ
超音波画像の輝度を調整する。ラジアルレビューモードと同様である（図４７参照）。
【０３０７】
（３）リニア方向ボタン
リニア画像の表示方向を切り替える。
【０３０８】
（４）疑似カラーボタン
超音波画像をモノクロで表示させるか、疑似カラーで表示させるかを選択する、ラジアルレビューモードと同様である（図４５参照）。
【０３０９】
（５）エッジ強調ボタン
超音波画像のエッジを強調する。
【０３１０】
１）ＯＦＦ：  エッジ強調を強調する。
【０３１１】
２）１：      エッジ強調  弱
３）２：      エッジ強調  強
このように本実施の形態では、第１の実施の形態の効果に加え、システム設定の設定により、リニア検査モード及びリニアレビューモードを加えることを可能にしており、ヘリカル検査モードと比較すると、リニア検査モードは、超音波振動子のラジアル回転を行なわないため、リニア画像のみを収集したい場合は検査時間が短くすむという利点がある。
【０３１２】
［付記］
（付記項１）  生体へ超音波を送受信して３次元走査を行ない、得られた３次元領域のエコーデータを用いて前記生体内の超音波断層像を表示する超音波診断装置において、
患者データに基づき、前記エコーデータの送受信を行なって超音波画像を取得し検査を行う検査手段と、
前記検査手段により得られた前記超音波画像に対して画像処理を施すレビュー手段と、
前記検査手段及び前記レビュー手段を制御する制御内容を表示し、タッチパネルにより前記制御内容に応じた指示信号を入力する制御指示表示手段と
を備え、
前記制御指示表示手段は、
前記検査手段による処理では複数の第１の動作モード制御表示を行い、
前記レビュー手段による処理では複数の第２の動作モード制御表示を行う
ことを特徴とする超音波画像診断装置。
【０３１３】
（付記項２）  前記複数の第１の動作モード制御表示は、少なくとも、
前記検査手段における前記患者データを登録する検査予約制御表示と、
ラジアル走査により前記生体への超音波の送受を行うラジアル検査を制御するラジアル検査制御表示と、
ヘリカル走査により前記生体への超音波の送受を行うヘリカル検査を制御するヘリカル制御表示と、
前記超音波画像の画質設定データを登録するプリプロセス制御表示と、
前記検査手段におけるシステムデータを登録する第１のシステム設定制御表示と
からなり、
前記複数の第２の動作モード制御表示は、少なくとも、
前記ラジアル検査により得られた前記超音波画像に対しての画像処理の制御を行うラジアルレビュー制御表示と、
前記ヘリカル検査により得られた前記超音波画像に対しての画像処理の制御を行うヘリカルレビュー制御表示と、
前記レビュー手段におけるシステムデータを登録する第２のシステム設定制御表示と
からなる
ことを特徴とする付記項１に記載の超音波画像診断装置。
【０３１４】
（付記項３）  前記超音波画像を記録、再生する画像記憶再生手段を備え、
前記制御指示表示手段は、
前記検査手段及び前記レビュー手段による処理において共通に使用できる制御内容からなるツール表示を行い、
前記ツール表示は、少なくとも、画像記憶再生手段に対して画像記録を指示するセーブ制御表示部と、画像記憶再生手段に対して画像再生を指示するロード制御表示部とを有する
ことを特徴とする付記項１または２に記載の超音波画像診断装置。
【０３１５】
（付記項４）  前記画像記憶再生手段を制御する制御手段を備え、
前記制御手段は、
前記第１の動作モード制御表示及び前記第の動作モード制御表示における動作モードデータを前記超音波画像と共に、前記画像記憶再生手段に記憶させ、
かつ、前記画像記憶再生手段に記憶した前記超音波画像を再生する際には、前記動作モードデータを判別し、判別した前記動作モードデータに基づき前記超音波画像を再生する
ことを特徴とする付記項１または２に記載の超音波画像診断装置。
【０３１６】
（付記項５）  前記複数の第１の動作モード制御表示は、リニア走査により前記生体への超音波の送受を行うリニア検査を制御するリニア検査制御表示を有し、
前記複数の第２の動作モード制御表示は、前記リニア検査により得られた前記超音波画像に対しての画像処理の制御を行うリニアレビュー制御表示を有する
ことを特徴とする付記項２に記載の超音波画像診断装置。
【０３１７】
【発明の効果】
以上説明したように本発明の超音波画像診断装置によれば、タッチパネルにより前記制御内容に応じた指示信号を入力する前記制御指示表示手段が、前記検査手段による処理では該検査の実施に係る複数のモードの制御表示を行う第１の制御表示を行い、前記レビュー手段による処理では前記画像処理に係る複数のモードの制御表示を行う第２の制御表示を行うので、コストの削減及び装置の小型化を達成すると共に、操作性を向上させることができるという効果がある。
【図面の簡単な説明】
【図１】本発明の第１の実施の形態に係る超音波画像診断装置の構成を示す構成図
【図２】図１の画像処理部の装置制御盤の構成を示す構成図
【図３】図１の画像処理部のＣＰＵの制御の流れを示す第１のフローチャート
【図４】図１の画像処理部のＣＰＵの制御の流れを示す第２のフローチャート
【図５】図１の画像処理部のＣＰＵの制御の流れを示す第３のフローチャート
【図６】図１の画像処理部のＣＰＵの制御の流れを示す第４のフローチャート
【図７】図１の画像処理部のＣＰＵの制御の流れを示す第５のフローチャート
【図８】図３の処理における検査モード制御部表示を示す図
【図９】図３の処理におけるレビューモード制御部表示を示す図
【図１０】図４の処理における検査予約カードを示す図
【図１１】図１０の検査予約カードによる患者情報登録ダイアログを示す図
【図１２】図４の処理におけるラジアル検査カードを示す図
【図１３】図１２のラジアル検査カードのマルチ表示ボタンによる第１の表示例を示す図
【図１４】図１２のラジアル検査カードのマルチ表示ボタンによる第２の表示例を示す図
【図１５】図１２のラジアル検査カードのズームボタンによる高画質モニタでの表示例を示す図
【図１６】図１２のラジアル検査カードのラジアル方向ボタンの作用を説明する説明図
【図１７】図１２のラジアル検査カードのサブスクリーンボタン及び画像切替ボタンによる表示パターンを示す図
【図１８】図１２のラジアル検査カードのイメージローテーションダイヤルの拡大図
【図１９】図１２のラジアル検査カードのイメージセレクションスライダの拡大図
【図２０】図４の処理におけるヘリカル検査カードを示す図
【図２１】図２０のヘリカル検査カードのディスプレイボタンの拡大図、
【図２２】図２１のディスプレイボタンのデュアル表示ボタンによるデュアル画面表示を示す図
【図２３】図２１のディスプレイボタンのコンビネーション表示ボタンによるコンビネーション表示を示す図
【図２４】図２１のディスプレイボタンのリニア優先表示ボタンによるリニア優先表示を示す図
【図２５】図２１のディスプレイボタンのラジアル優先表示ボタンによるラジアル優先表示を示す図
【図２６】図２３のコンビネーション表示におけるイメージセレクションスライダと表示画像の関係を示す図
【図２７】図２０のヘリカル検査カードのイメージセレクションスライダの拡大図
【図２８】図２０のヘリカル検査カードのリニア方向ボタンによるイメージセレクションスライダの切替を示す図
【図２９】図４の処理におけるレンジが３ｃｍ以上のときのプリプロセスカードを示す図
【図３０】図４の処理におけるレンジが２ｃｍ以下のときのプリプロセスカードを示す図
【図３１】図２９または図３０のプリプロセスカードのＳＴＣ調整スライダの拡大図
【図３２】図２９または図３０のプリプロセスカードのコントラスト調整スライダの拡大図
【図３３】図２９または図３０のプリプロセスカードのゲイン調整スライダの拡大図
【図３４】図４の処理におけるシステム設定カードを示す図
【図３５】図３４のシステム設定カードによるシステム時計設定ダイアログを示す図
【図３６】図３４のシステム設定カードによる病院名設定ダイアログを示す図
【図３７】図３４のシステム設定カードによる記録設定ダイアログを示す図
【図３８】図３４のシステム設定カードによるラジアル設定ダイアログを示す図
【図３９】図３８のラジアル設定ダイアログのレンジボタン表示の変化を示す図
【図４０】図３４のシステム設定カードによるヘリカル設定ダイアログを示す図
【図４１】図４０のヘリカル設定ダイアログのストロークボタン表示の変化を示す図
【図４２】図４０のヘリカル設定ダイアログのピッチボタン表示の変化を示す図
【図４３】図４０のヘリカル設定ダイアログとヘリカル検査モードとのピッチボタンの対応を示す図
【図４４】図３４のシステム設定カードによる疑似カラーオプションダイアログを示す図
【図４５】図４の処理におけるラジアルレビューカードを示す図
【図４６】図４５のラジアルレビューカードのコントラスト調整スライダの拡大図
【図４７】図４５のラジアルレビューカードのゲイン調整スライダの拡大図
【図４８】図４の処理におけるヘリカルレビューカードを示す図
【図４９】図５の処理におけるセーブツールダイアログを示す図
【図５０】図４９のセーブツールダイアログによるファイル名入力ダイアログを示す図
【図５１】図１２のラジアル検査カードの各ツールボタンの配置を示す図
【図５２】図６の処理におけるロードツールである患者選択ダイアログを示す図
【図５３】図５２の患者選択ダイアログによる画像選択ダイアログを示す図
【図５４】図６の処理におけるシャットダウンダイアログを示す図
【図５５】図５４のシャットダウンダイアログによるメッセージダイアログを示す図
【図５６】図７の処理におけるエラー表示例を示す図
【図５７】本発明の第２の実施の形態に係る画像処理部のＣＰＵの記録制御の流れを示すフローチャート
【図５８】図５７の処理により記録された超音波画像ファイルの構造を示す図
【図５９】図５７の処理により記録された超音波画像ファイルのロード処理の流れを示すフローチャート
【図６０】本発明の第３の実施の形態に係るシステム設定カードを示す図
【図６１】図６０のシステム設定カードで「ＬＩＮＥＲ  ＭＯＤＥ  ＯＮ」とした場合の検査モード制御部表示を示す図
【図６２】図６０のシステム設定カードで「ＬＩＮＥＲ  ＭＯＤＥ  ＯＮ」とした場合のレビューモード制御部表示を示す図
【図６３】図６１の検査モード制御部表示によるリニア検査カードを示す図
【図６４】図６３のリニア検査カードによる簡易ラジアル画像表示例を示す図
【図６５】図６３のリニア検査カードによるリニア画像表示例を示す図
【図６６】図６２のレビューモード制御部表示によるリニアレビューカードを示す図
【符号の説明】
１…超音波画像診断装置
２…超音波観測部
３…画像処理部
４…超音波プローブ
５…駆動部
６…送受信部
７…Ａ／Ｄコンバータ
８…フレームメモリ
９…ＤＳＣ
１０…Ｄ／Ａコンバータ
１１…モニタ
１２…システムコントローラ
１３、３０…ＣＰＵ
１４…主記憶装置（メインメモリ）
１５…制御部
１６…極座標変換部
１７…画像データ記憶装置（画像メモリ）
１８…画像処理プロセッサ
１９…第１外部記憶装置（ハードディスク）
２０…第２外部記憶装置（光磁気ディスク）
２２…フレームバッファ
２３…Ｄ／Ａコンバータ
２４…高画質モニタ
２５…装置制御盤
２６ａ、２６ｂ…制御通信部
２８…外部信号源
２９…画像信号入力部
３１…システムバス
３２…表示制御部
３３…ＬＣＤ表示部
３４…タッチパネル制御部
３５…ＲＯＭ
３６…ＲＡＭ
【図１】
0003586098.tif 000006
【図２】
0003586098.tif 000007
【図３】
0003586098.tif 000008
【図４】
0003586098.tif 000009
【図５】
0003586098.tif 000010
【図６】
0003586098.tif 000011
【図７】
0003586098.tif 000012
【図８】
0003586098.tif 000013
【図９】
0003586098.tif 000014
【図１０】
0003586098.tif 000015
【図１１】
0003586098.tif 000016
【図１２】
0003586098.tif 000017
【図１３】
0003586098.tif 000018
【図１４】
0003586098.tif 000019
【図１５】
0003586098.tif 000020
【図１６】
0003586098.tif 000021
【図１７】
0003586098.tif 000022
【図１８】
0003586098.tif 000023
【図１９】
0003586098.tif 000024
【図２０】
0003586098.tif 000025
【図２１】
0003586098.tif 000026
【図２２】
0003586098.tif 000027
【図２３】
0003586098.tif 000028
【図２４】
0003586098.tif 000029
【図２５】
0003586098.tif 000030
【図２６】
0003586098.tif 000031
【図２７】
0003586098.tif 000032
【図２８】
0003586098.tif 000033
【図２９】
0003586098.tif 000034
【図３０】
0003586098.tif 000035
【図３１】
0003586098.tif 000036
【図３２】
0003586098.tif 000037
【図３３】
0003586098.tif 000038
【図３４】
0003586098.tif 000039
【図３５】
0003586098.tif 000040
【図３６】
0003586098.tif 000041
【図３７】
0003586098.tif 000042
【図３８】
0003586098.tif 000043
【図３９】
0003586098.tif 000044
【図４０】
0003586098.tif 000045
【図４１】
0003586098.tif 000046
【図４２】
0003586098.tif 000047
【図４３】
0003586098.tif 000048
【図４４】
0003586098.tif 000049
【図４５】
0003586098.tif 000050
【図４６】
0003586098.tif 000051
【図４７】
0003586098.tif 000052
【図４８】
0003586098.tif 000053
【図４９】
0003586098.tif 000054
【図５０】
0003586098.tif 000055
【図５１】
0003586098.tif 000056
【図５２】
0003586098.tif 000057
【図５３】
0003586098.tif 000058
【図５４】
0003586098.tif 000059
【図５５】
0003586098.tif 000060
【図５６】
0003586098.tif 000061
【図５７】
0003586098.tif 000062
【図５８】
0003586098.tif 000063
【図５９】
0003586098.tif 000064
【図６０】
0003586098.tif 000065
【図６１】
0003586098.tif 000066
【図６２】
0003586098.tif 000067
【図６３】
0003586098.tif 000068
【図６４】
0003586098.tif 000069
【図６５】
0003586098.tif 000070
【図６６】
0003586098.tif 000071